(57)【要約】      （修正有）【課題】プレイ権を消費することによりプレイするゲームにおいて、ゲームのプレイに対するユーザの動機付けをより高める。【解決手段】ゲームプログラム１３１は、プロセッサに、ユーザが保有するゲームのプレイ権を消費することによりゲームのプレイを実行するステップと、ゲームのプレイに伴いユーザに付与されるアイテムと引き換えに、ユーザに対してプレイ権を付与するステップと、を実行させる。【選択図】図２
2019042296.tif 000002
【特許請求の範囲】
【請求項１】
ゲームプログラムであって、
前記ゲームプログラムは、プロセッサおよびメモリを備えるコンピュータにより実行されるものであり、
前記ゲームプログラムは、前記プロセッサに、
ユーザが保有するゲームのプレイ権を消費することにより、前記ゲームのプレイを実行するステップと、
前記ゲームのプレイに伴い前記ユーザに付与されるアイテムと引き換えに、前記ユーザに対して前記プレイ権を付与するステップと、を実行させる、ゲームプログラム。
【請求項２】
前記プレイ権と引き換え可能な前記アイテムは、前記プレイにおいて利用可能なオブジェクトが前記ユーザに付与される際に当該オブジェクトに付随して付与される付随アイテムである、請求項１に記載のゲームプログラム。
【請求項３】
前記付随アイテムは、前記ユーザに関連付けられたゲーム内通貨と引き換えに前記オブジェクトが前記ユーザに付与される際に付随して付与されるものである、請求項２に記載のゲームプログラム。
【請求項４】
第１の条件が満たされる度に、前記ユーザに対して１つ以上の権利を付与するステップと、
前記権利を消費することにより、前記ユーザに対して、当該権利に応じた前記オブジェクトまたは前記付随アイテムを付与するステップと、をさらに実行させ、
前記プレイ権を付与するステップでは、前記ゲーム内通貨と引き換えに、前記オブジェクトが前記ユーザに付与されるまで、前記ユーザに付与された前記権利の何れかを順次消費する、請求項３に記載のゲームプログラム。
【請求項５】
前記プレイ権と引き換え可能な前記アイテムは、前記ゲームのプレイに伴い無償で前記ユーザに付与されるものである、請求項１から４の何れか１項に記載のゲームプログラム。
【請求項６】
前記プレイ権と引き換え可能な前記アイテムは、前記ユーザに関連付けて蓄積され、
前記プレイ権を付与するステップでは、蓄積された前記アイテムが所定量以上になると、前記プレイ権との引き換えを可能とする、請求項１から５の何れか１項に記載のゲームプログラム。
【請求項７】
前記プレイ権を付与するステップでは、前記ユーザに関連付けて蓄積された前記アイテムの前記所定量と引き換えに、前記ユーザが保有するプレイ権が上限値以下の値となるまで、前記ユーザに対して前記プレイ権を付与する、請求項６に記載のゲームプログラム。
【請求項８】
前記プレイ権を付与するステップでは、前記ユーザに対して、時間の経過に伴い前記プレイ権を付与する、請求項１から７の何れか１項に記載のゲームプログラム。
【請求項９】
前記プレイ権と引き換え可能な前記アイテムは、新規ユーザを対象とするプレイ単位を含む各プレイ単位のプレイに伴って付与されるものである、請求項１から８の何れか１項に記載のゲームプログラム。
【請求項１０】
ゲームプログラムを実行する方法であって、
前記ゲームプログラムは、プロセッサ及びメモリを備えるコンピュータにより実行されるものであり、
前記方法は、前記プロセッサが、
ユーザが保有するゲームのプレイ権を消費することにより、前記ゲームのプレイを実行するステップと、
前記ゲームのプレイに伴い前記ユーザに付与されるアイテムと引き換えに、前記ユーザに対して前記プレイ権を付与するステップと、を含む方法。
【請求項１１】
情報処理装置であって、
前記情報処理装置は、
ゲームプログラムを記憶する記憶部と、
前記ゲームプログラムを実行することにより、前記情報処理装置の動作を制御する制御部と、を備え、
前記制御部は、
ユーザが保有するゲームのプレイ権を消費することにより、前記ゲームのプレイを実行し、前記ゲームのプレイに伴い前記ユーザに付与されるアイテムと引き換えに、前記ユーザに対して前記プレイ権を付与する、情報処理装置。
【発明の詳細な説明】
【技術分野】
【０００１】
本開示はゲームプログラム、ゲームプログラムを実行する方法及び情報処理装置に関する。
【背景技術】
【０００２】
ゲームをプレイする権利であるプレイ権を消費することによりプレイするゲームが広く知られている。特許文献１には、時間の経過に伴ってプレイ権をユーザに付与するとともに、課金によりユーザに付与されるアイテムとの交換で、プレイ権をユーザに付与する技術が記載されている。
【先行技術文献】
【特許文献】
【０００３】
【特許文献１】特開２０１４−１６８７０９号公報（２０１４年９月１８日公開）
【発明の概要】
【発明が解決しようとする課題】
【０００４】
プレイ権を消費してプレイするゲームでは、ユーザは、緊張感を持ってゲームを楽しむことができる。しかしながら、プレイ権を付与する態様によっては、ゲームのプレイに対するユーザの動機付けを損ねる虞がある。
【０００５】
本開示の一態様は、プレイ権を消費することによりプレイするゲームにおいて、ゲームのプレイに対するユーザの動機付けをより高めることができる技術を提供することを目的とする。
【課題を解決するための手段】
【０００６】
本開示に係るゲームプログラムは、プロセッサおよびメモリを備えるコンピュータにより実行される。ゲームプログラムは、プロセッサに、ユーザが保有するゲームのプレイ権を消費することにより、ゲームのプレイを実行するステップと、ゲームのプレイに伴いユーザに付与されるアイテムと引き換えに、ユーザに対してプレイ権を付与するステップと、を実行させる。
【０００７】
本開示に係る方法は、プロセッサ及びメモリを備えるコンピュータが、ゲームプログラムを実行する方法である。方法は、プロセッサが、ユーザが保有するゲームのプレイ権を消費することにより、ゲームのプレイを実行するステップと、ゲームのプレイに伴いユーザに付与されるアイテムと引き換えに、ユーザに対してプレイ権を付与するステップと、を含む。
【０００８】
本開示に係る情報処理装置は、ゲームプログラムを記憶する記憶部と、ゲームプログラムを実行することにより、情報処理装置の動作を制御する制御部と、を備える。制御部は、ユーザが保有するゲームのプレイ権を消費することにより、ゲームのプレイを実行し、ゲームのプレイに伴いユーザに付与されるアイテムと引き換えに、ユーザに対してプレイ権を付与する。
【発明の効果】
【０００９】
本開示の一態様によれば、プレイ権を消費することによりプレイするゲームにおいて、ゲームのプレイに対するユーザの動機付けをより高めることができる、という効果を奏する。
【図面の簡単な説明】
【００１０】
【図１】ゲームシステムのハードウェア構成を示す図である。
【図２】ユーザ端末及びサーバの機能的構成を示すブロック図である。
【図３】実施形態に係るゲームプログラムに基づいて、ゲームシステムにおいてプレイ開始時に実行される処理の流れを示すフローチャートである。
【図４】実施形態に係るゲームプログラムに基づいて、ゲームシステムにおいてプレイ終了時に実行される処理の流れを示すフローチャートである。
【図５】実施形態に係るゲームプログラムに基づいて、ゲームシステムにおいてゲーム内通貨との引き換えに実行される処理の流れを示すフローチャートである。
【図６】（Ａ）は、実施形態において、プレイ開始時にチケットが無い場合に表示部に表示される確認画面の具体例を示す図である。（Ｂ）は、実施形態において、付随アイテムとの引き換えにチケットを付与した際に表示部に表示される通知画面の具体例を示す図である。
【図７】（Ａ）は、実施形態において、表示部に表示されるパズル画面の具体例を示す図である。（Ｂ）は、実施形態において、プレイで利用するオブジェクトを選択するために表示部に表示される画面の具体例を示す図である。
【図８】（Ａ）は、実施形態において、表示部に表示される保有カプセル画面の具体例を示す図である。（Ｂ）は、実施形態において、ゲーム内通貨との引き換えに保有カプセル群から抽選を行うか否かを選択するよう表示部に表示される確認画面の具体例を示す図である。
【図９】（Ａ）は、実施形態において、表示部に表示される抽選画面の具体例を示す図である。（Ｂ）は、実施形態において、表示部に表示される開封結果画面の具体例を示す図である。
【図１０】（Ａ）は、実施形態において、表示部に表示される抽選画面の他の具体例を示す図である。（Ｂ）は、実施形態において、表示部に表示される開封結果画面の他の具体例を示す図である。
【図１１】実施形態の変形例において、プレイ開始時にチケットが無い場合に表示部に表示される確認画面の他の具体例を示す図である。
【発明を実施するための形態】
【００１１】
〔実施形態１〕
本開示に係るゲームシステムは、複数のユーザにゲームを提供するためのシステムである。以下、ゲームシステムについて図面を参照しつつ説明する。なお、本発明はこれらの例示に限定されるものではなく、特許請求の範囲によって示され、特許請求の範囲と均等の意味及び範囲内でのすべての変更が本発明に含まれることが意図される。以下の説明では、図面の説明において同一の要素には同一の符号を付し、重複する説明を繰り返さない。
【００１２】
＜ゲームシステム１のハードウェア構成＞
図１は、ゲームシステム１のハードウェア構成を示す図である。ゲームシステム１は図示の通り、複数のユーザ端末１００と、サーバ２００とを含む。各ユーザ端末１００は、サーバ２００とネットワーク２を介して接続する。ネットワーク２は、インターネット及び図示しない無線基地局によって構築される各種移動通信システム等で構成される。この移動通信システムとしては、例えば、所謂３Ｇ、４Ｇ移動通信システム、ＬＴＥ（Long Term Evolution）、及び所定のアクセスポイントによってインターネットに接続可能な無線ネットワーク（例えばWi-Fi（登録商標））等が挙げられる。
【００１３】
サーバ２００（コンピュータ、情報処理装置）は、ワークステーション又はパーソナルコンピュータ等の汎用コンピュータであってよい。サーバ２００は、プロセッサ２０と、メモリ２１と、ストレージ２２と、通信インターフェース（ＩＦ）２３と、入出力ＩＦ２４とを備える。サーバ２００が備えるこれらの構成は、通信バスによって互いに電気的に接続される。
【００１４】
ユーザ端末１００（コンピュータ、情報処理装置）は、スマートフォン、フィーチャーフォン、ＰＤＡ（Personal Digital Assistant）、又はタブレット型コンピュータ等の携帯端末であってよい。ユーザ端末１００は、ゲームプレイに適したゲーム装置であってもよい。ユーザ端末１００は図示の通り、プロセッサ１０と、メモリ１１と、ストレージ１２と、通信ＩＦ１３と、入出力ＩＦ１４と、タッチスクリーン１５（表示部）と、カメラ１７と、測距センサ１８とを備える。ユーザ端末１００が備えるこれらの構成は、通信バスによって互いに電気的に接続される。また、図１に示すように、ユーザ端末１００は、１つ以上のコントローラ１０２０と通信可能に構成されることとしてもよい。コントローラ１０２０は、例えば、Ｂｌｕｅｔｏｏｔｈ（登録商標）等の通信規格に従って、ユーザ端末１００と通信を確立する。コントローラ１０２０は、１つ以上のボタン等を有していてもよく、該ボタン等に対するユーザの入力操作に基づく出力値をユーザ端末１００へ送信する。また、コントローラ１０２０は、加速度センサ、及び、角速度センサ等の各種センサを有していてもよく、該各種センサの出力値をユーザ端末１００へ送信する。
【００１５】
なお、ユーザ端末１００がカメラ１７及び測距センサ１８を備えることに代えて、又は、加えて、コントローラ１０２０がカメラ１７及び測距センサ１８を有していてもよい。
【００１６】
ユーザ端末１００は、例えばゲーム開始時に、コントローラ１０２０を使用するユーザに、該ユーザの名前又はログインＩＤ等のユーザ識別情報を、該コントローラ１０２０を介して入力させることが望ましい。これにより、ユーザ端末１００は、コントローラ１０２０とユーザとを紐付けることが可能となり、受信した出力値の送信元（コントローラ１０２０）に基づいて、該出力値がどのユーザのものであるかを特定することができる。
【００１７】
ユーザ端末１００が複数のコントローラ１０２０と通信する場合、各コントローラ１０２０を各ユーザが把持することで、ネットワーク２を介してサーバ２００などの他の装置と通信せずに、該１台のユーザ端末１００でマルチプレイを実現することができる。また、各ユーザ端末１００が無線ＬＡＮ（Local Area Network）規格等の無線規格により互いに通信接続する（サーバ２００を介さずに通信接続する）ことで、複数台のユーザ端末１００によりローカルでマルチプレイを実現することもできる。１台のユーザ端末１００によりローカルで上述のマルチプレイを実現する場合、ユーザ端末１００は、さらに、サーバ２００が備える後述する種々の機能の少なくとも一部を備えていてもよい。また、複数のユーザ端末１００によりローカルで上述のマルチプレイを実現する場合、複数のユーザ端末１００は、サーバ２００が備える後述する種々の機能を分散して備えていてもよい。
【００１８】
なお、ローカルで上述のマルチプレイを実現する場合であっても、ユーザ端末１００はサーバ２００と通信を行ってもよい。例えば、あるゲームにおける成績又は勝敗等のプレイ結果を示す情報と、ユーザ識別情報とを対応付けてサーバ２００に送信してもよい。
【００１９】
また、コントローラ１０２０は、ユーザ端末１００に着脱可能な構成であるとしてもよい。この場合、ユーザ端末１００の筐体における少なくともいずれかの面に、コントローラ１０２０との結合部が設けられていてもよい。該結合部を介して有線によりユーザ端末１００とコントローラ１０２０とが結合している場合は、ユーザ端末１００とコントローラ１０２０とは、有線を介して信号を送受信する。
【００２０】
図１に示すように、ユーザ端末１００は、外部のメモリカード等の記憶媒体１０３０の装着を、入出力ＩＦ１４を介して受け付けてもよい。これにより、ユーザ端末１００は、記憶媒体１０３０に記録されるプログラム及びデータを読み込むことができる。記憶媒体１０３０に記録されるプログラムは、例えばゲームプログラムである。
【００２１】
ユーザ端末１００は、サーバ２００等の外部の装置と通信することにより取得したゲームプログラムをユーザ端末１００のメモリ１１に記憶してもよいし、記憶媒体１０３０から読み込むことにより取得したゲームプログラムをメモリ１１に記憶してもよい。
【００２２】
以上で説明したとおり、ユーザ端末１００は、該ユーザ端末１００に対して情報を入力する機構の一例として、通信ＩＦ１３、入出力ＩＦ１４、タッチスクリーン１５、カメラ１７、及び、測距センサ１８を備える。入力する機構としての上述の各部は、ユーザの入力操作を受け付けるように構成された操作部と捉えることができる。
【００２３】
例えば、操作部が、カメラ１７及び測距センサ１８の少なくともいずれか一方で構成される場合、該操作部が、ユーザ端末１００の近傍の物体１０１０を検出し、当該物体の検出結果から入力操作を特定する。一例として、物体１０１０としてのユーザの手、予め定められた形状のマーカーなどが検出され、検出結果として得られた物体１０１０の色、形状、動き、又は、種類などに基づいて入力操作が特定される。より具体的には、ユーザ端末１００は、カメラ１７の撮影画像からユーザの手が検出された場合、該撮影画像に基づき検出されるジェスチャ（ユーザの手の一連の動き）を、ユーザの入力操作として特定し、受け付ける。なお、撮影画像は静止画であっても動画であってもよい。
【００２４】
あるいは、操作部がタッチスクリーン１５で構成される場合、ユーザ端末１００は、タッチスクリーン１５の入力部１５１に対して実施されたユーザの操作をユーザの入力操作として特定し、受け付ける。あるいは、操作部が通信ＩＦ１３で構成される場合、ユーザ端末１００は、コントローラ１０２０から送信される信号（例えば、出力値）をユーザの入力操作として特定し、受け付ける。あるいは、操作部が入出力ＩＦ１４で構成される場合、該入出力ＩＦ１４と接続されるコントローラ１０２０とは異なる入力装置（図示せず）から出力される信号をユーザの入力操作として特定し、受け付ける。
【００２５】
＜ゲーム概要＞
ゲームシステム１によって実行されるゲームでは、ゲームのプレイ権がユーザに付与される。ユーザは、プレイ権を消費することによりゲームをプレイする。本実施形態では、１つのプレイ権を消費することにより、ゲームを１回プレイできるものとする。ユーザは、１つ以上のプレイ権を保有し得るものとする。また、ユーザは、プレイ権を１つも保有していない場合には、ゲームをプレイすることができない。ゲームシステム１は、各ユーザに付与されるプレイ権の情報（ユーザが保有するプレイ権の数など）を、各ユーザについてデータとして管理している。本実施形態では、１つのプレイ権は、１枚のチケットとして表現される。ユーザは、１枚のチケットを使って、ゲームを１回プレイする。
【００２６】
本実施形態では、第１の条件が満たされた場合に、１つ以上の権利がユーザに付与されるものとする。権利とは、オブジェクト又は付随アイテムを取得する権利である。オブジェクトとは、当該ゲームのプレイにおいて利用可能なオブジェクトである。付随アイテムについては後述する。ユーザは、そのような権利を、１つ以上保有することができる。１つの権利が消費されることにより、当該権利に応じたオブジェクト又は付随アイテムが、ユーザに付与される。ゲームシステム１は、各ユーザに付与されるこのような権利の情報（例えば、ユーザが保有する権利の種類、個数など）を、各ユーザについてデータとして管理している。
【００２７】
本実施形態では、１つの権利は、１つのカプセルとして表現されるものとする。例えば、ゲームの進行状況やプレイ結果に応じて、カプセルがユーザに付与される。また、カプセルの内包物として表現されるオブジェクト又は付随アイテムは、カプセルが開封されることによりユーザに付与され、ユーザによって利用可能となる。ユーザは、カプセルを開封して取得したオブジェクトを利用してプレイすることにより、ゲームを有利に進めることができる。なお、カプセルを開封することは、権利を消費することに相当する。
【００２８】
本実施形態において、付随アイテムは、ゲームのプレイに伴いユーザに付与されるアイテムである。具体的には、付随アイテムは、ゲームのプレイにおいて利用可能なオブジェクトに付随して、無償で付与される。例えば、ユーザが有償でオブジェクトを取得する場合であっても、その取得に付随して付与される付随アイテムは、無償である。なお、「オブジェクトに付随して付与される」とは、「オブジェクトが付与される際に、共に付与される」ことを表している。また、付随アイテムは、ユーザに関連付けて記憶部１３０に蓄積可能である。
【００２９】
本実施形態では、オブジェクトが内包されるカプセルには、希少度が設定されるものとする。また、付随アイテムが内包されるカプセルには、希少度が設定されない。希少度とは、カプセルの開封により取得可能なオブジェクトの価値であって、ゲームを有利に進める上での価値の高さを表すものである。以降、カプセルに設定された希少度のことを、カプセルの種類と記載することもある。また、希少度が設定されていないカプセルは、「希少度の設定が無い」という種類であるものとして記載する。
【００３０】
本実施形態では、ゲームシステム１によって実行されるゲームが、パズルゲームであることを想定する。例えば、ユーザは、保有するチケットを１枚消費して、パズルを１回プレイする。
【００３１】
なお、ゲームシステム１は、ゲームのプレイ権がユーザに付与され、プレイ権を消費することによりプレイするゲームを実行するシステムであれば、パズルゲームを実行するためのシステムに限定されない。ゲームシステム１は、特定のジャンルに限らず、あらゆるジャンルのゲームを実行するためのシステムであってもよい。例えば、テニス、卓球、ドッジボール、野球、サッカー及びホッケーなどのスポーツを題材としたゲーム、パズルゲーム、クイズゲーム、ＲＰＧ、アドベンチャーゲーム、シューティングゲーム、シミュレーションゲーム、育成ゲーム、ならびに、アクションゲームなどであってもよい。
【００３２】
また、ゲームシステム１は、特定のプレイ形態に限らず、あらゆるプレイ形態のゲームを実行するためのシステムであってもよい。例えば、単一のユーザによるシングルプレイゲーム、及び、複数のユーザによるマルチプレイゲーム、また、マルチプレイゲームの中でも、複数のユーザが対戦する対戦ゲーム、及び、複数のユーザが協力する協力プレイゲームなどであってもよい。
【００３３】
＜各装置のハードウェア構成要素＞
プロセッサ１０は、ユーザ端末１００全体の動作を制御する。プロセッサ２０は、サーバ２００全体の動作を制御する。プロセッサ１０及び２０は、ＣＰＵ（Central Processing Unit）、ＭＰＵ（Micro Processing Unit）、及びＧＰＵ（Graphics Processing Unit）を含む。
【００３４】
プロセッサ１０は後述するストレージ１２からプログラムを読み出し、後述するメモリ１１に展開する。プロセッサ２０は後述するストレージ２２からプログラムを読み出し、後述するメモリ２１に展開する。プロセッサ１０及びプロセッサ２０は展開したプログラムを実行する。
【００３５】
メモリ１１及び２１は主記憶装置である。メモリ１１及び２１は、ＲＯＭ（Read Only Memory）及びＲＡＭ（Random Access Memory）等の記憶装置で構成される。メモリ１１は、プロセッサ１０が後述するストレージ１２から読み出したプログラム及び各種データを一時的に記憶することにより、プロセッサ１０に作業領域を提供する。メモリ１１は、プロセッサ１０がプログラムに従って動作している間に生成した各種データも一時的に記憶する。メモリ２１は、プロセッサ２０が後述するストレージ２２から読み出した各種プログラム及びデータを一時的に記憶することにより、プロセッサ２０に作業領域を提供する。メモリ２１は、プロセッサ２０がプログラムに従って動作している間に生成した各種データも一時的に記憶する。
【００３６】
本実施形態においてプログラムとは、ゲームをユーザ端末１００により実現するためのゲームプログラムであってもよい。あるいは、該プログラムは、該ゲームをユーザ端末１００とサーバ２００との協働により実現するためのゲームプログラムであってもよい。あるいは、該プログラムは、該ゲームを複数のユーザ端末１００の協働により実現するためのゲームプログラムであってもよい。また、各種データとはユーザ情報、ゲーム情報等、ゲームに関するデータ、ならびにユーザ端末１００とサーバ２００との間又は複数のユーザ端末１００間で送受信する指示や通知を含んでいる。
【００３７】
ストレージ１２及び２２は補助記憶装置である。ストレージ１２及び２２は、フラッシュメモリ又はＨＤＤ（Hard Disk Drive）等の記憶装置で構成される。ストレージ１２及びストレージ２２には、ゲームに関する各種データが格納される。
【００３８】
通信ＩＦ１３は、ユーザ端末１００における各種データの送受信を制御する。通信ＩＦ２３は、サーバ２００における各種データの送受信を制御する。通信ＩＦ１３及び２３は例えば、無線ＬＡＮ（Local Area Network）を介する通信、有線ＬＡＮ、無線ＬＡＮ、又は携帯電話回線網を介したインターネット通信、ならびに近距離無線通信等を用いた通信を制御する。
【００３９】
入出力ＩＦ１４は、ユーザ端末１００がデータの入力を受け付けるためのインターフェースであり、またユーザ端末１００がデータを出力するためのインターフェースである。入出力ＩＦ１４は、ＵＳＢ（Universal Serial Bus）等を介してデータの入出力を行ってもよい。入出力ＩＦ１４は、例えば、ユーザ端末１００の物理ボタン、カメラ、マイク、又は、スピーカ等を含み得る。サーバ２００の入出力ＩＦ２４は、サーバ２００がデータの入力を受け付けるためのインターフェースであり、またサーバ２００がデータを出力するためのインターフェースである。入出力ＩＦ２４は、例えば、マウス又はキーボード等の情報入力機器である入力部と、画像を表示出力する機器である表示部とを含み得る。
【００４０】
ユーザ端末１００のタッチスクリーン１５は、入力部１５１と表示部１５２とを組み合わせた電子部品である。入力部１５１は、例えばタッチセンシティブなデバイスであり、例えばタッチパッドによって構成される。表示部１５２は、例えば液晶ディスプレイ、又は有機ＥＬ（Electro-Luminescence）ディスプレイ等によって構成される。
【００４１】
入力部１５１は、入力面に対しユーザの操作（主にタッチ操作、スライド操作、スワイプ操作、及びタップ操作等の物理的接触操作）が入力された位置を検知して、位置を示す情報を入力信号として送信する機能を備える。入力部１５１は、図示しないタッチセンシング部を備えていればよい。タッチセンシング部は、静電容量方式又は抵抗膜方式等のどのような方式を採用したものであってもよい。
【００４２】
図示していないが、ユーザ端末１００は、該ユーザ端末１００の保持姿勢を特定するための１以上のセンサを備えていてもよい。このセンサは、例えば、加速度センサ、又は、角速度センサ等であってもよい。ユーザ端末１００がセンサを備えている場合、プロセッサ１０は、センサの出力からユーザ端末１００の保持姿勢を特定して、保持姿勢に応じた処理を行うことも可能になる。例えば、プロセッサ１０は、ユーザ端末１００が縦向きに保持されているときには、縦長の画像を表示部１５２に表示させる縦画面表示としてもよい。一方、ユーザ端末１００が横向きに保持されているときには、横長の画像を表示部に表示させる横画面表示としてもよい。このように、プロセッサ１０は、ユーザ端末１００の保持姿勢に応じて縦画面表示と横画面表示とを切り替え可能であってもよい。
【００４３】
カメラ１７は、イメージセンサ等を含み、レンズから入射する入射光を電気信号に変換することで撮影画像を生成する。
【００４４】
測距センサ１８は、測定対象物までの距離を測定するセンサである。測距センサ１８は、例えば、パルス変換した光を発する光源と、光を受ける受光素子とを含む。測距センサ１８は、光源からの発光タイミングと、該光源から発せられた光が測定対象物にあたって反射されて生じる反射光の受光タイミングとにより、測定対象物までの距離を測定する。測距センサ１８は、指向性を有する光を発する光源を有することとしてもよい。
【００４５】
ここで、ユーザ端末１００が、カメラ１７と測距センサ１８とを用いて、ユーザ端末１００の近傍の物体１０１０を検出した検出結果を、ユーザの入力操作として受け付ける例をさらに説明する。カメラ１７及び測距センサ１８は、例えば、ユーザ端末１００の筐体の側面に設けられてもよい。カメラ１７の近傍に測距センサ１８が設けられてもよい。カメラ１７としては、例えば赤外線カメラを用いることができる。この場合、赤外線を照射する照明装置及び可視光を遮断するフィルタ等が、カメラ１７に設けられてもよい。これにより、屋外か屋内かにかかわらず、カメラ１７の撮影画像に基づく物体の検出精度をいっそう向上させることができる。
【００４６】
プロセッサ１０は、カメラ１７の撮影画像に対して、例えば以下の（１）〜（５）に示す処理のうち１つ以上の処理を行ってもよい。（１）プロセッサ１０は、カメラ１７の撮影画像に対し画像認識処理を行うことで、該撮影画像にユーザの手が含まれているか否かを特定する。プロセッサ１０は、上述の画像認識処理において採用する解析技術として、例えばパターンマッチング等の技術を用いてよい。（２）また、プロセッサ１０は、ユーザの手の形状から、ユーザのジェスチャを検出する。プロセッサ１０は、例えば、撮影画像から検出されるユーザの手の形状から、ユーザの指の本数（伸びている指の本数）を特定する。プロセッサ１０はさらに、特定した指の本数から、ユーザが行ったジェスチャを特定する。例えば、プロセッサ１０は、指の本数が５本である場合、ユーザが「パー」のジェスチャを行ったと判定する。また、プロセッサ１０は、指の本数が０本である（指が検出されなかった）場合、ユーザが「グー」のジェスチャを行ったと判定する。また、プロセッサ１０は、指の本数が２本である場合、ユーザが「チョキ」のジェスチャを行ったと判定する。（３）プロセッサ１０は、カメラ１７の撮影画像に対し、画像認識処理を行うことにより、ユーザの指が人差し指のみ立てた状態であるか、ユーザの指がはじくような動きをしたかを検出する。（４）プロセッサ１０は、カメラ１７の撮影画像の画像認識結果、及び、測距センサ１８の出力値等の少なくともいずれか１つに基づいて、ユーザ端末１００の近傍の物体１０１０（ユーザの手など）とユーザ端末１００との距離を検出する。例えば、プロセッサ１０は、カメラ１７の撮影画像から特定されるユーザの手の形状の大小により、ユーザの手がユーザ端末１００の近傍（例えば所定値未満の距離）にあるのか、遠く（例えば所定値以上の距離）にあるのかを検出する。なお、撮影画像が動画の場合、プロセッサ１０は、ユーザの手がユーザ端末１００に接近しているのか遠ざかっているのかを検出してもよい。（５）カメラ１７の撮影画像の画像認識結果等に基づいて、ユーザの手が検出されている状態で、ユーザ端末１００とユーザの手との距離が変化していることが判明した場合、プロセッサ１０は、ユーザが手をカメラ１７の撮影方向において振っていると認識する。カメラ１７の撮影範囲よりも指向性が強い測距センサ１８において、物体が検出されたりされなかったりする場合に、プロセッサ１０は、ユーザが手をカメラの撮影方向に直交する方向に振っていると認識する。
【００４７】
このように、プロセッサ１０は、カメラ１７の撮影画像に対する画像認識により、ユーザが手を握りこんでいるか否か（「グー」のジェスチャであるか、それ以外のジェスチャ（例えば「パー」）であるか）を検出する。また、プロセッサ１０は、ユーザの手の形状とともに、ユーザがこの手をどのように移動させているかを検出する。また、プロセッサ１０は、ユーザがこの手をユーザ端末１００に対して接近させているのか遠ざけているのかを検出する。このような操作は、例えば、マウス又はタッチパネルなどのポインティングデバイスを用いた操作に対応させることができる。ユーザ端末１００は、例えば、ユーザの手の移動に応じて、タッチスクリーン１５においてポインタを移動させ、ユーザのジェスチャ「グー」を検出する。この場合、ユーザ端末１００は、ユーザが選択操作を継続中であると認識する。選択操作の継続とは、例えば、マウスがクリックされて押し込まれた状態が維持されること、又は、タッチパネルに対してタッチダウン操作がなされた後タッチされた状態が維持されることに対応する。また、ユーザ端末１００は、ユーザのジェスチャ「グー」が検出されている状態で、さらにユーザが手を移動させると、このような一連のジェスチャを、スワイプ操作（又はドラッグ操作）に対応する操作として認識することもできる。また、ユーザ端末１００は、カメラ１７の撮影画像によるユーザの手の検出結果に基づいて、ユーザが指をはじくようなジェスチャを検出した場合に、当該ジェスチャを、マウスのクリック又はタッチパネルへのタップ操作に対応する操作として認識してもよい。
【００４８】
＜ゲームシステム１の機能的構成＞
図２は、ゲームシステム１に含まれるサーバ２００及びユーザ端末１００の機能的構成を示すブロック図である。サーバ２００及びユーザ端末１００のそれぞれが備えている、一般的なコンピュータとして機能する場合に必要な機能的構成、及び、ゲームにおける公知の機能を実現するために必要な機能的構成については、適宜省略している。
【００４９】
ユーザ端末１００は、ユーザの入力操作を受け付ける入力装置としての機能と、ゲームの画像や音声を出力する出力装置としての機能を有する。ユーザ端末１００は、プロセッサ１０、メモリ１１、ストレージ１２、通信ＩＦ１３、及び入出力ＩＦ１４等の協働によって、制御部１１０及び記憶部１３０として機能する。
【００５０】
サーバ２００は、各ユーザ端末１００と通信して、ユーザ端末１００がゲームを進行させるのを支援する機能を有する。例えば、有価データの販売、サービスの提供などを実行する。ゲームがマルチプレイゲームである場合には、サーバ２００は、ゲームに参加する各ユーザ端末１００と通信して、ユーザ端末１００同士のやりとりを仲介する機能を有していてもよい。サーバ２００は、プロセッサ２０、メモリ２１、ストレージ２２、通信ＩＦ２３、及び入出力ＩＦ２４等の協働によって、制御部２１０及び記憶部２３０として機能する。
【００５１】
記憶部１３０及び記憶部２３０は、ゲームプログラム１３１、ゲーム情報１３２及びユーザ情報１３３を格納する。ゲームプログラム１３１は、ユーザ端末１００及びサーバ２００で実行するゲームプログラムである。
【００５２】
ゲーム情報１３２は、制御部１１０及び制御部２１０がゲームプログラム１３１を実行する際に参照するデータである。ゲーム情報１３２は、複数のユーザに共通する情報、例えば、（１）ゲームのプレイにおいて利用可能なオブジェクトに関する基本的なパラメータ、（２）カプセルの種類に関する情報、（３）カプセルの種類に応じて内包され得るオブジェクト又は付随アイテムに関する情報等を含んでいてもよい。
【００５３】
ユーザ情報１３３は、ユーザのアカウントに関するデータである。例えば、ユーザ情報１３３は、ユーザのアカウントの識別子に関連付けて、（１）当該アカウントのユーザを示す情報、（２）当該アカウントが保有するチケットに関する情報、（３）当該アカウントが保有するカプセルに関する情報、（４）当該アカウントが保有する付随アイテムに関する情報、（５）当該アカウントが取得済みのオブジェクトのパラメータ、（６）当該アカウントのゲームの進行度合いを表す情報、（７）当該アカウントが保有する資産に関する情報等を含んでいてもよい。アカウントの資産としては、例えば、ゲーム内の仮想通貨、アイテムなどが挙げられる。その他、ユーザ情報１３３は、アカウントごとに管理される各種の情報を含んでいてもよい。
【００５４】
なお、記憶部２３０において、ユーザ情報１３３は、ユーザ端末１００ごとに格納されている。
【００５５】
（サーバ２００の機能的構成）
制御部２１０は、記憶部２３０に格納されたゲームプログラム１３１を実行することにより、サーバ２００を統括的に制御する。例えば、制御部２１０は、ユーザ端末１００に各種データ及びプログラム等を送信する。制御部２１０は、ゲーム情報もしくはユーザ情報の一部又は全部をユーザ端末１００から受信する。ゲームがマルチプレイゲームである場合には、制御部２１０は、ユーザ端末１００からマルチプレイの同期の要求を受信して、同期のためのデータをユーザ端末１００に送信してもよい。
【００５６】
制御部２１０は、ゲームプログラム１３１の記述に応じて、オブジェクト提供部２１１として機能する。制御部２１０は、実行するゲームの性質に応じて、ユーザ端末１００におけるゲームの進行を支援するために、図示しないその他の機能ブロックとしても機能することができる。
【００５７】
オブジェクト提供部２１１は、カプセルの開封を要求されると、当該カプセルの種類に基づいて、カプセルの内包物であるオブジェクト又は付随アイテムを決定する。
【００５８】
ここで、カプセルの種類に基づくオブジェクト又は付随アイテムの決定方法について説明する。記憶部２３０に記憶されるゲーム情報１３２は、カプセルの種類に対して、１つ以上のオブジェクト又は付随アイテムを関連付けた情報を含んでいる。具体的には、ゲーム情報１３２は、カプセルに設定され得る希少度に対して、その希少度に応じた価値を有する１つ以上のオブジェクトを関連付けた情報を含む。ある希少度に対して関連付けられた１つ以上のオブジェクトのそれぞれには、当該オブジェクトの出現確率が設定されている。ある希少度に対して関連付けられた各オブジェクトの出現確率の合計は、１００％となるよう設定される。また、このようなゲーム情報１３２は、更新され得る。例えば、ゲーム情報１３２は、特定の期間において、ある希少度に対して当該期間中に取得可能となるオブジェクトを関連付けた情報を含むよう更新されてもよい。
【００５９】
ここで、ゲームを有利に進める上での価値を有するオブジェクトの一例としては、パズルのプレイで直接的に用いられるキャラクタがある。キャラクタには、基本的なパラメータ及び特性等が定められる。基本的なパラメータ、その特性、又は、その出現確率等に応じて、そのキャラクタの価値の高さが定まる。より高い希少度には、より価値の高いキャラクタが関連付けられる。
【００６０】
また、ゲーム情報１３２は、希少度が設定されていない種類に対して、１つ以上の付随アイテムを関連付けた情報を含む。
【００６１】
オブジェクト提供部２１１は、ゲーム情報１３２を参照することにより、開封を要求されたカプセルに希少度が設定されていれば、当該希少度に関連付けられた１つ以上のオブジェクトの中から、各オブジェクトの出現確率に基づいて何れかを決定する。換言すると、オブジェクト提供部２１１は、より高い希少度が設定されたカプセルの内包物として、より価値の高いオブジェクトを決定する。
【００６２】
また、オブジェクト提供部２１１は、開封を要求されたカプセルの種類として希少度が設定されていなければ、希少度が設定されていない種類に対して関連付けられた付随アイテムを決定する。
【００６３】
また、オブジェクト提供部２１１によって決定されるオブジェクト又は付随アイテムの個数は、１つであってもよいし、複数であってもよい。オブジェクトを内包するカプセルの場合、オブジェクトの内包個数は、内包確率に基づいて決定されてもよい。例えば、より多い内包個数となる内包確率は、希少度が高いほど高く設定されていてもよい。また、付随アイテムを内包するカプセルの場合、内包個数は、カプセルの抽選履歴に応じて決定されてもよい。カプセルの抽選履歴とは、例えば、付随アイテムを内包するカプセルが連続して抽選された回数であってもよい。付随アイテムの内包個数については後述する。
【００６４】
（ユーザ端末１００の機能的構成）
制御部１１０は、記憶部１３０に格納されたゲームプログラム１３１を実行することにより、ユーザ端末１００を統括的に制御する。例えば、制御部１１０は、ゲームプログラム１３１及びユーザの操作にしたがって、ゲームを進行させる。また、制御部１１０は、ゲームを進行させている間、必要に応じて、サーバ２００と通信して、情報の送受信を行う。
【００６５】
制御部１１０は、ゲームプログラム１３１の記述に応じて、操作受付部１１１、表示制御部１１２、ユーザインターフェース（以下、ＵＩ）制御部１１３、アニメーション生成部１１４、パズル進行部１１５、報酬決定部１１６、取得準備部１１７、取得実行部１１８、オブジェクト管理部１１９及びプレイ権管理部１２０として機能する。制御部１１０は、実行するゲームの性質に応じて、ゲームを進行させるために、図示しないその他の機能ブロックとしても機能することができる。
【００６６】
操作受付部１１１は、入力部１５１に対するユーザの入力操作を検知し受け付ける。操作受付部１１１は、タッチスクリーン１５及びその他の入出力ＩＦ１４を介したコンソールに対してユーザが及ぼした作用から、いかなる入力操作がなされたかを判別し、その結果を制御部１１０の各要素に出力する。
【００６７】
例えば、操作受付部１１１は、入力部１５１に対する入力操作を受け付け、該入力操作の入力位置の座標を検出し、該入力操作の種類を特定する。操作受付部１１１は、入力操作の種類として、例えばタッチ操作、スライド操作、スワイプ操作、及びタップ操作等を特定する。また、操作受付部１１１は、連続して検知されていた入力が途切れると、タッチスクリーン１５から接触入力が解除されたことを検知する。
【００６８】
ＵＩ制御部１１３は、ＵＩを構築するために表示部１５２に表示させるＵＩオブジェクトを制御する。ＵＩオブジェクトは、ユーザが、ゲームの進行上必要な入力をユーザ端末１００に対して行うためのツール、又は、ゲームの進行中に出力される情報をユーザ端末１００から得るためのツールである。ＵＩオブジェクトは、これには限定されないが、例えば、アイコン、ボタン、リスト、メニュー画面などである。
【００６９】
パズル進行部１１５は、パズルをプレイするプレイ画面を生成する。また、パズル進行部１１５は、プレイ画面に対する操作に応じて、パズルを進行する。また、パズル進行部１１５は、パズルの１プレイが終了すると、そのプレイにおける成績等を表すプレイ結果を算出する。なお、パズルの１プレイとは、パズルゲームにおいて定められたプレイ単位の１回分を指すものとする。
【００７０】
報酬決定部１１６は、第１の条件が満たされたときに、ユーザに付与するカプセルの個数、及び、各カプセルの種類を決定する。第１の条件とは、例えば、パズルの１プレイが終了することであってもよい。ただし、第１の条件は、これに限られず、ゲームにおいて設定されるその他の各種の目標を満たすことであってもよい。また、例えば、報酬決定部１１６は、パズル進行部１１５から通知されるプレイ結果に基づいて、付与するカプセルの個数を決定してもよい。報酬決定部１１６の詳細については後述する。
【００７１】
取得準備部１１７は、第２の条件が満たされた場合に、保有カプセル群のうち開封対象のカプセルを抽選する処理を行う。また、取得準備部１１７は、ゲーム内通貨と引き換えに抽選を指示する操作があった場合にも、保有カプセル群のうち開封対象のカプセルを抽選する。
【００７２】
なお、第２の条件とは、例えば、パズルの進行状況に関わる条件であってもよい。進行状況に関わる条件の一例としては、例えば、パズルの１プレイが終了することが挙げられる。また、第２の条件とは、例えば、パズルのプレイ結果に基づく条件であってもよい。プレイ結果に基づく条件の一例としては、パズルにおける成績が目標を達成することが挙げられる。ただし、第２の条件は、これらの例に限られない。第２の条件とは、カプセルを即時に開封するための直接的な引き換え条件以外であって、ゲームにおいて設定され得る各種の条件である。なお、カプセルを即時に開封するための直接的な引き換えとは、例えば、ゲーム内通貨との引き換え等が挙げられる。取得準備部１１７の詳細については後述する。
【００７３】
ここで、ゲーム内通貨について説明する。ゲーム内通貨とは、ゲームにおける仮想通貨である。ゲーム内通貨は、例えば、ゲームにおいてユーザに有償で付与され得る。ただし、有償で付与され得るゲーム内通貨が、無償で付与される場合があってもよい。このようなゲーム内通貨は、無償で付与される付随アイテムとは異なるものである。
【００７４】
この場合、ゲーム内通貨は、課金処理によってユーザに付与され得る。一例として、ゲーム内通貨の購入を示す操作が操作受付部１１１によって受け付けられると、制御部１１０の図示しない課金実行部が、課金する金額を入力するための画面を表示制御部１１２に表示させる。そして、課金実行部は、ユーザによって入力された金額をサーバ２００に送信する。サーバ２００において課金が正常に終了すると、制御部１１０は、課金された金額に応じた量のゲーム内通貨をサーバ２００から取得する。取得されたゲーム内通貨は、ユーザ端末１００のユーザに関連付けて、記憶部１３０に記憶される。
【００７５】
取得実行部１１８は、取得準備部１１７によって抽選されたカプセルに応じたオブジェクト又は付随アイテムの決定を、サーバ２００に要求する。具体的には、取得実行部１１８は、抽選されたカプセルの種類をサーバ２００に通知する。前述したように、サーバ２００において、オブジェクト提供部２１１は、通知された種類に応じたオブジェクト又は付随アイテムを決定し、取得実行部１１８に通知する。取得実行部１１８は、通知されたオブジェクト又は付随アイテムを、ユーザに付与する。ここで、ユーザに付与するとは、当該ユーザに関連付けて、ユーザ情報１３３として記憶部１３０に記憶することである。付与されたオブジェクトは、ユーザによってゲームのプレイにおいて利用可能となる。また、付与された付随アイテムは、既に当該ユーザに関連付けられていた付随アイテムに追加されて記憶される。つまり、付随アイテムは、ユーザに関連付けられて蓄積される。
【００７６】
また、取得実行部１１８は、抽選されたカプセルに応じたオブジェクト又は付随アイテムを通知されると、当該カプセルを、開封されたものとして保有カプセル群から削除する。
【００７７】
オブジェクト管理部１１９は、ユーザに付与されたオブジェクトに関する情報を、ユーザに関連付けて管理する。例えば、オブジェクト管理部１１９は、プレイにおいて利用するオブジェクトを、ユーザに関連付けられたオブジェクトから選択させる画面を生成する。また、オブジェクト管理部１１９は、ユーザに付与された付随アイテムを、ユーザに関連付けて管理する。例えば、オブジェクト管理部１１９は、ユーザに付与された付随アイテムの量を記憶しておく。そして、オブジェクト管理部１１９は、付随アイテムがユーザに新たに付与された場合には、記憶した付随アイテムの量に対して、新たに付与された量を加算して更新する。また、オブジェクト管理部１１９は、付随アイテムが後述のようにチケットと交換された場合には、記憶した付随アイテムの量に対して、交換した量を減算して更新する。
【００７８】
プレイ権管理部１２０は、プレイ権であるチケットを管理する。プレイ権管理部１２０は、ユーザ毎に、当該ユーザが保有するチケットの数を管理し記憶部１３０に記憶する。また、プレイ権管理部１２０は、ゲームが１回プレイされるごとに、ユーザが保有するチケットを１枚消費する。また、プレイ権管理部１２０は、詳細を後述する手段により、チケットをユーザに新たに付与する。プレイ権管理部１２０の詳細については後述する。
【００７９】
アニメーション生成部１１４は、ゲームにおける各種ゲームオブジェクトの制御態様に基づいて、各種ゲームオブジェクトのモーションを示すアニメーションを生成する。例えば、アニメーション生成部１１４は、カプセルが抽選される様子や、カプセルが開封される様子を表現したアニメーション等を生成してもよい。
【００８０】
表示制御部１１２は、タッチスクリーン１５の表示部１５２に対して、上述の各要素によって実行された処理結果が反映されたゲーム画面を出力する。表示制御部１１２は、アニメーション生成部１１４によって生成されたアニメーションを含むゲーム画面を表示部１５２に表示してもよい。また、表示制御部１１２は、上述のＵＩオブジェクトを、該ゲーム画面に重畳して描画してもよい。
【００８１】
なお、図２に示すサーバ２００及びユーザ端末１００の機能は一例にすぎない。サーバ２００は、ユーザ端末１００が備える機能の少なくとも一部を備えていてもよい。また、ユーザ端末１００は、サーバ２００が備える機能の少なくとも一部を備えていてもよい。さらに、ユーザ端末１００及びサーバ２００以外の他の装置をゲームシステム１の構成要素とし、該他の装置にゲームシステム１における処理の一部を実行させてもよい。すなわち、本実施形態においてゲームプログラムを実行するコンピュータは、ユーザ端末１００、サーバ２００、及び他の装置の何れであってもよいし、これらの複数の装置の組み合わせにより実現されてもよい。
【００８２】
（報酬決定部１１６の詳細な構成）
報酬決定部１１６は、付与する各カプセルに対して、予め設定された設定確率に基づいて、その種類を設定する。希少度が高い種類ほど、設定確率が低くなるよう定められている。また、希少度が設定されない種類は、希少度が設定される種類より、設定確率が高くなるよう定められていてもよい。
【００８３】
本実施形態では、カプセルに設定される希少度としては、希少度が高い順に、Ｓ、Ａ、Ｂ、Ｃの４段階があるものとする。また、希少度が設定されない種類を、「Ｘ」と表記する。したがって、本実施形態において、カプセルの種類は、Ｓ、Ａ、Ｂ、Ｃ、Ｘの５種類である。これらの種類の設定確率は、希少度が設定されているものほど低くなるよう、且つ、希少度が高いほど低くなるよう、例えば、Ｓが５％、Ａが１０％、Ｂが１５％、Ｃが２５％、Ｘが４５％であってもよい。また、各希少度には、当該希少度に応じた価値を有する１つ以上のキャラクタが関連付けられる。また、希少度が設定されない種類に対して、付随アイテムの一例としてのコインが関連付けられる。
【００８４】
また、報酬決定部１１６は、付与する各カプセルに対して、有効期間を設定する。有効期間は、各種類に対して、予め関連付けられていてもよい。その場合、有効期間は、希少度が高いカプセルほど短くなるよう定められる。また、希少度が設定されない種類は、希少度が設定される種類より、有効期間が長くなるよう定められる。付与時からの経過時間が有効期間を超えたカプセルは、ユーザに付与されたカプセル群から削除される。以降、ユーザに付与されたカプセル群を、保有カプセル群とも記載する。
【００８５】
また、ユーザが所有し得るカプセルの個数には上限が設定されている。例えば、第１の条件が満たされて決定されたカプセルが全て付与されたと仮定すると、保有カプセル群を構成するカプセルの個数が上限を超える場合がある。この場合、報酬決定部１１６は、決定したカプセルのうち、上限を超えないまでのカプセルをユーザに付与し、上限を超える分のカプセルについては付与しない。また、この場合、報酬決定部１１６は、上限を超える分のカプセルについては、付与予定のカプセルとして保存してもよい。なお、付与予定のカプセルは、保有カプセル群を構成するカプセルの個数が変化して上限より少なくなれば、任意の時点で保有カプセル群に加えられてもよい。ただし、その場合でも、カプセルに設定される有効期間は、付与予定となった時点からカウントされるようにしてもよい。
【００８６】
（取得準備部１１７の詳細な構成）
（１プレイ終了時のカプセルの開封）
本実施形態では、第２の条件として、パズルの１プレイが終了するとの条件が適用される。すなわち、取得準備部１１７は、パズルの１プレイが終了すると、保有カプセル群の中から何れか１つを抽選する。抽選の方法は、ランダムであってもよいが、これに限られない。なお、前述したように、第１の条件としても、パズルの１プレイが終了するとの条件が適用されているとする。つまり、パズルの１プレイが終了すると、開封対象のカプセルが抽選されるとともに、新たなカプセルが付与される。なお、第１の条件及び第２の条件は、必ずしも同一である必要はなく、異なっていてもよい。
【００８７】
（ゲーム内通貨との交換によるカプセルの開封）
本実施形態では、ゲーム内通貨との交換により、希少度が設定されたカプセルが抽選されるまで、保有カプセル群のうちの１つを順次抽選する。つまり、取得準備部１１７は、抽選したカプセルの種類がＳ、Ａ、Ｂ、Ｃの何れかとなるまで、保有カプセル群の１つを順次抽選する。抽選の方法は、ランダムであってもよいが、これに限られない。
【００８８】
このとき、取得準備部１１７は、保有カプセル群における各種類のカプセルが占める割合をユーザに提示した上で、ゲーム内通貨と引き換えに抽選を指示する操作を受け付けることが望ましい。以下では、保有カプセル群における各種類のカプセルが占める割合を、「保有カプセル群における各種類の割合」とも記載する。これにより、ユーザは、保有カプセル群における各種類の割合を考慮して、任意の時点で抽選を指示することができる。例えば、ユーザは、保有カプセル群において、最も高い希少度であるＳが設定されたカプセルの占める割合が多い（すなわち、希少度Ｓのカプセルが開封される可能性が高い）と考えた時点で、抽選を指示することができる。
【００８９】
このように、ユーザは、希少度が設定されたカプセルを、有償で付与され得るゲーム内通貨との引き換えに開封することができる。そして、ユーザは、希少度が設定されたカプセルの開封に付随して、希少度が設定されないカプセルを無償で開封することができる。
【００９０】
また、取得準備部１１７は、カプセルを抽選する度に、当該カプセルに関する情報を、取得実行部１１８に通知する。これにより、カプセルを順次抽選する度に、抽選したカプセルが開封されてオブジェクト又は付随アイテムが出現することになる。その結果、ユーザは、順次抽選されるカプセルの内包物をその度に確認することができ、ゲームの興趣性が増す。
【００９１】
（付随アイテムが連続して出現する場合）
ここで、希少度が設定されたカプセルが抽選されるまで保有カプセル群のうちの１つが順次抽選される過程において、抽選された各カプセルから出現するオブジェクト又は付随アイテムは、取得実行部１１８から通知を受けたサーバ２００によって決定される。換言すると、この過程において、サーバ２００には、希少度が設定されていないカプセルが０回以上連続して順次通知され、最後に、希少度が設定されたカプセルが１回通知されることになる。
【００９２】
この過程において、サーバ２００のオブジェクト提供部２１１は、希少度が設定されていないカプセルが通知された場合に、その内包物として、希少度が設定されていない種類に対して関連付けられた付随アイテムを決定する。このとき、オブジェクト提供部２１１は、希少度が設定されていないカプセルの抽選が連続した回数（抽選履歴）に応じて、当該カプセルに内包される付随アイテムの個数を変化させてもよい。
【００９３】
例えば、付随アイテムの個数は、抽選の連続回数に応じて単調増加してもよい。具体的には、１回目の抽選で希少度が設定されていないカプセルが抽選された場合に、内包される付随アイテムの個数をｎ（ｎは自然数）とする。この場合、ｉ（ｉは２以上の自然数）回目の抽選で希少度が設定されていないカプセルが抽選された場合に、内包される付随アイテムの個数は、ｎ×（１＋ｄ×（ｉ−１））個であってもよい。ｄ＝０．２であるとすると、２回目では１回目の１．２倍、３回目では１回目の１．４倍の付随アイテムが内包物として決定される。
【００９４】
また、例えば、付随アイテムの個数は、抽選の連続回数に応じて指数関数的に増加してもよい。具体的には、ｉ回目の抽選で希少度が設定されていないカプセルが抽選された場合に、内包される付随アイテムの個数は、ｎ×（１＋ｄ）（ｉ−１）個であってもよい。ｄ＝０．２であるとすると、２回目では１回目の１．２倍、３回目では１回目の１．４４倍の付随アイテムが内包物として決定される。
【００９５】
そして、この過程の最後において、希少度が設定されたカプセルが通知された場合に、オブジェクト提供部２１１は、その内包物として、当該希少度に関連付けられた１つ以上のオブジェクトの中から、各オブジェクトの出現確率に基づいて何れかを決定すればよい。
【００９６】
これにより、ユーザは、ゲームを有利に進める上での価値を有するオブジェクトを内包物として得られるまでの抽選回数が多くても、付随アイテムの獲得個数の期待値が増えるため、ゲーム内通貨と引き換えることに対する納得感を得ることができる。
【００９７】
（保有カプセル群を一括して開封）
また、取得準備部１１７は、ゲーム内通貨と引き換えに、保有カプセル群の全て又は一部分を一括して開封してもよい。この場合、一括して開封するために要するゲーム内通貨の量は、希少度が設定されたカプセルが１つ抽選されるまで保有カプセル群のうちの１つを順次抽選するために要するゲーム内通貨の量より多いことが望ましい。また、一括して開封するために要するゲーム内通貨の量は、一括して開封する対象となるカプセル群における各種類の割合に応じて設定されてもよい。この他に、保有カプセル群のうち希少度が設定されているカプセルの数に応じて、一括して開封するために必要なゲーム内通貨の量が設定されてもよい。例えば、希少度が設定されたカプセルを１つ抽選するまで保有カプセル群のうちの１つを順次抽選するために要するゲーム内通貨の量を量「Ｍ１」とし、保有カプセル群に含まれる、希少度が設定されたカプセルの数をカプセル数「Ｃ１」とする。このとき、保有カプセル群の全てを一括して開封するために要するゲーム内通貨の量は、量「Ｍ１」とカプセル数「Ｃ１」との積よりもディスカウントした量としてもよい。このとき、例えば、保有カプセル群において、希少度がより高いカプセルの占める割合が多いほど、ディスカウント率を小さくし、希少度がより低いカプセルの占める割合が高いほど、ディスカウント率を大きくするといったように、保有カプセル群において各希少度のカプセルが占める割合構成に応じてディスカウント率を設定してもよい。
【００９８】
また、取得準備部１１７は、ゲーム内通貨と引き換えに一括して開封する操作を受け付けた場合に、保有カプセル群を構成する各カプセルの種類を、一括して取得実行部１１８に通知する。そして、取得実行部１１８は、各カプセルの種類を一括してサーバ２００に通知することにより、各カプセルの内包物を一括して取得する。
【００９９】
このとき、サーバ２００のオブジェクト提供部２１１は、保有カプセル群のうち希少度が設定されたカプセルのそれぞれについては、前述したように、当該希少度に関連付けられたオブジェクトの中の何れかを決定する。また、オブジェクト提供部２１１は、保有カプセル群のうちの希少度が設定されていないカプセルのそれぞれについて、付随アイテムを決定する。このとき、オブジェクト提供部２１１は、希少度が設定されていないカプセルのそれぞれに対応して決定する付随アイテムの合計個数を、増加させてもよい。
【０１００】
例えば、保有カプセル群のうち希少度が設定されたカプセルがｍ１個であり、希少度が設定されていないカプセルがｍ２個であったとする。また、各カプセルの内包物が１個であるとする。この場合、オブジェクト提供部２１１は、一括して開封する要求に応じて、ｍ１個の価値を有するオブジェクトと、ｍ２×ｘ個の付随アイテムとを決定してもよい。ただし、ｘは、１以上の正数であるものとする。このとき、ｘは、所定範囲（例えば、１以上２以下）で抽選により決定されてもよい。
【０１０１】
これにより、ユーザは、一括して開封することにより、付随アイテムの獲得個数の期待値が増えるため、ゲーム内通貨と引き換えることに対する納得感を得ることができる。
【０１０２】
（プレイ権管理部１２０の詳細）
プレイ権管理部１２０は、付随アイテムとの交換、または、時間の経過に基づいて、ユーザに新たにチケットを付与する。
【０１０３】
具体的には、チケットは、ユーザに関連付けられて蓄積された付随アイテムの所定量との交換により、新たにユーザに付与される。付与されたチケットを含めユーザによって保有可能なチケットの総数は、上限値までとなる。総数が上限値を超える分のチケットは、付随アイテムとの交換では付与されない。
【０１０４】
また、チケットは、時間の経過に伴って、新たにユーザに付与される。例えば、１枚のチケットが消費されてから所定期間経過すると、新たに１枚のチケットが付与されるよう規定されていてもよい。ただし、時間の経過に伴い付与されるチケットを含めユーザによって保有可能なチケットの総数は、上限値までとなる。総数が上限値を超える分のチケットは、時間が経過しても付与されない。
【０１０５】
また、プレイ権管理部１２０は、プレイの開始時にユーザが保有するチケットが無い場合、当該プレイを開始しようとしているユーザに関連付けられた付随アイテムの所定量との交換により、チケットを新たに付与してもよい。この場合、プレイ権管理部１２０は、付随アイテムの所定量との交換を了承する操作に応じて、チケットを新たに付与することが望ましい。
【０１０６】
＜ゲームシステム１の処理フロー＞
図３〜図５は、本実施形態に係るゲームシステム１に含まれる各コンピュータによって実行される処理の流れを示すフローチャートである。なお、本実施形態において、一連の処理ステップは、ユーザ端末１００及びサーバ２００において分担して実行されているが、図示した分担形態に限られない。また、例えば、すべてのステップをユーザ端末１００が実行してもよいし、すべてのステップをサーバ２００が実行してもよい。
【０１０７】
（プレイ開始時の処理フロー）
まず、パズルのプレイが開始されたときのゲームシステム１の処理の流れを、図３に示す。
【０１０８】
ステップＳ１で、操作受付部１１１は、ゲームのプレイ開始を指示する操作を受け付ける。
【０１０９】
ステップＳ２で、プレイ権管理部１２０は、ユーザが保有するチケットの有無を判断する。ここで、チケットが無いと判断された場合、ステップＳ３が実行される。
【０１１０】
ステップＳ３で、プレイ権管理部１２０は、付随アイテムの所定量をチケットに交換するか否かを判断する。具体的には、プレイ権管理部１２０は、付随アイテムの所定量をチケットに交換するか否かをユーザに確認する確認画面を生成し、表示制御部１１２に表示させる。そして、プレイ権管理部１２０は、操作受付部１１１によって受け付けられた情報に基づいて、当該交換を行うか否かを判断すればよい。
【０１１１】
ステップＳ３で、交換を行うと判断された場合、ステップＳ４が実行される。交換を行わないと判断された場合、ゲームシステム１は、処理を終了する。
【０１１２】
ステップＳ４で、プレイ権管理部１２０は、付随アイテムの所定量と引き換えに、ユーザにチケットを付与する。付与するチケットを含め、ユーザによって保有されるチケットの総数は上限値までとなる。
【０１１３】
ステップＳ５で、オブジェクト管理部１１９は、交換した付随アイテムの所定量を、記憶した付随アイテムの量から減算して更新する。
【０１１４】
ステップＳ６で、プレイ権管理部１２０は、ユーザが保有するチケットの１枚を消費する。なお、ステップＳ２で、ユーザが保有するチケットが有ると判断された場合、ステップＳ３〜Ｓ５がスキップされ、本ステップ以降が実行される。
【０１１５】
ステップＳ７で、パズル進行部１１５は、パズルのプレイを開始する。具体的には、パズル進行部１１５は、パズルのプレイ画面を生成し、表示制御部１１２に表示させる。また、パズル進行部１１５は、操作受付部１１１によって受け付けられるユーザの操作に基づいてパズルを進行し、進行に応じて変化するプレイ画面を、表示制御部１１２に表示させる。パズルの進行に応じて変化するプレイ画面は、アニメーション生成部１１４によって生成されるアニメーションを含んでいてもよい。
【０１１６】
なお、図３に示した処理の流れのうち、ステップＳ３〜Ｓ５でプレイ権を新たに付与する処理は、ゲームのプレイ開始時にチケットが無い場合に限らず、操作受付部１１１によって、プレイ権を新たに取得する操作が受け付けられた任意の時点で実行されてもよい。そのようなプレイ権を新たに取得する操作は、例えば、ボタン、メニュー（何れも図示せず）等のＵＩオブジェクトに対して行われるものであってもよい。なお、そのようなＵＩオブジェクトは、ゲームシステム１において表示部に表示される任意の画面に重畳して表示されてもよい。
【０１１７】
（１プレイ終了時の処理フロー）
次に、パズルの１プレイが終了したときの処理の流れを、図４に示す。なお、図４に示す処理の開始時には、既に、パズル進行部１１５によりユーザ端末１００にパズルのプレイ画面が表示され、ユーザの操作によりパズルが進行中であるものとする。
【０１１８】
ステップＳ１０１で、ユーザ端末１００におけるパズル進行部１１５は、１回のプレイが終了したか否かを判断する。１回のプレイが終了した場合、パズル進行部１１５は、プレイ結果を算出する。
【０１１９】
ステップＳ１０２で、取得準備部１１７は、保有カプセル群の中の何れかを抽選する。このとき、取得準備部１１７は、抽選結果を表す画面を表示するよう、表示制御部１１２に通知する。また、抽選結果を表す画面は、アニメーション生成部１１４により生成された、抽選の様子を表すアニメーションを含んでいてもよい。
【０１２０】
ステップＳ１０３で、取得実行部１１８は、抽選されたカプセルの開封をサーバ２００に対して要求する。具体的には、取得実行部１１８は、抽選されたカプセルの種類を、サーバ２００に送信する。
【０１２１】
ステップＳ１０４で、サーバ２００におけるオブジェクト提供部２１１は、通知されたカプセルの種類に応じたオブジェクト又は付随アイテムを決定する。希少度が設定された種類のカプセルに応じてオブジェクトが決定される場合、当該種類に関連付けられた１つ以上のオブジェクトが、出現確率に基づいて選択される。また、希少度が設定されない種類のカプセルに応じて付随アイテムが決定される場合、その抽選履歴に応じて内包個数が決定される。
【０１２２】
ステップＳ１０５で、オブジェクト提供部２１１は、決定したオブジェクト又は付随アイテムを、ユーザ端末１００に通知する。
【０１２３】
ステップＳ１０６で、取得実行部１１８は、通知されたオブジェクト又は付随アイテムを、抽選されたカプセルから出現した内包物として、ユーザに付与する。このとき、取得準備部１１７は、抽選されたカプセルの開封結果を表す画面を表示するよう、表示制御部１１２に通知する。この開封結果を表す画面は、アニメーション生成部１１４により生成された、開封の様子を表すアニメーションを含んでいてもよい。
【０１２４】
ここで、付与されたオブジェクト又は付随アイテムは、オブジェクト管理部１１９により、ユーザに関連付けて記憶部１３０に記憶される。なお、付随アイテムが付与された場合、付与された付随アイテムの量が、当該ユーザに関連づけて記憶された付随アイテムの量に加算されて記憶される。
【０１２５】
ステップＳ１０７で、報酬決定部１１６は、ステップＳ１０１で算出されたプレイ結果に応じて、ユーザに付与するカプセルの個数を決定する。
【０１２６】
ステップＳ１０８で、取得準備部１１７は、ユーザに付与する各カプセルの種類を、設定確率に基づき決定する。そして、取得準備部１１７は、各カプセルに対して、決定した種類、及び、種類に応じた有効期間を設定する。
【０１２７】
ステップＳ１０９で、取得準備部１１７は、ユーザに各カプセルを付与する。このとき、取得準備部１１７は、カプセルの付与状況を表す画面を表示するよう、表示制御部１１２に通知する。例えば、付与状況を表す画面は、追加して付与された各カプセルの種類を認識可能な表示を含む。また、付与状況を表す画面は、アニメーション生成部１１４により生成された、カプセルが付与される様子を表すアニメーションを含んでいてもよい。
【０１２８】
なお、ステップＳ１０９において、ステップＳ１０７で決定したカプセルの個数を付与すると、保有カプセル群のカプセルが上限数を超えてしまう場合がある。この場合、上限数を超えるカプセルは付与されない。前述のように、上限数を超えるカプセルは、付与予定として保存されるか、あるいは、破棄される。
【０１２９】
（抽選操作受付時の処理フロー）
次に、ゲーム内通貨と引き換えに抽選を指示する操作が受け付けられたときの処理の流れを、図５に示す。なお、図５に示す処理の開始時には、ユーザ端末１００の表示部１５２に、保有カプセル群における各種類の割合を少なくとも示す保有カプセル画面が表示されているものとする。
【０１３０】
ステップＳ２０１で、ユーザ端末１００において、操作受付部１１１は、ゲーム内通貨と引き換えに抽選を指示する操作が受け付けられたか否かを判断する。抽選を指示する操作が受け付けられた場合、処理は、ステップＳ２０２に進む。
【０１３１】
ステップＳ２０２で、取得準備部１１７は、ゲーム内通貨を消費するとともに、保有カプセル群の中から開封するカプセルを抽選する。また、取得準備部１１７は、抽選結果を表す画面を表示するよう、表示制御部１１２に通知する。
【０１３２】
ステップＳ２０３〜Ｓ２０６の処理は、１プレイ終了時の処理における図４のステップＳ１０３〜Ｓ１０６と同様であるため、詳細な説明を繰り返さない。これにより、抽選されたカプセルが開封され、その種類に応じて決定されたオブジェクト又は付随アイテムが、ユーザに付与される。また、開封結果を表す画面が表示される。
【０１３３】
ステップＳ２０７で、取得準備部１１７は、開封されたカプセルの種類が、希少度が設定された種類であるか否かを判断する。ここで、希少度が設定された種類でない場合、取得準備部１１７は、ステップＳ２０２からの処理を繰り返す。一方、希少度が設定された種類である場合、取得準備部１１７は、今回の抽選処理を終了する。これにより、抽選を指示する操作に応じて、ゲーム内通貨と引き換えに、希少度が設定されたカプセルが開封されるまで、保有カプセル群の何れかが順次開封される。
【０１３４】
以上の動作により、ユーザは、有償のゲーム内通貨と引き換えに、ゲームを有利に進める上での価値を有するオブジェクトを必ず取得できるとともに、そのようなオブジェクトの取得に付随して、無償で付随アイテムを取得することができる。
【０１３５】
＜ゲーム画面例＞
図６〜図１１は、本実施形態のゲームシステム１に基づくゲームにおいて、ユーザ端末１００の表示部１５２に表示されるゲーム画面の一例を示す図である。
【０１３６】
図６（Ａ）は、パズルのプレイ開始時にチケットが無い場合に、ステップＳ３において表示される確認画面の一例を示す図である。この確認画面は、チケットを得るためにコインの所定量との引き換えを行うか否かを確認する画面である。なお、コインとは、付随アイテムの一例である。この確認画面に示された「チケットを全回復」との表現は、ユーザが保有するチケットが上限値となるまでのチケットを付与することを表している。この確認画面は、チケットの全回復を承諾する「はい」ボタン１１０１、及び、承諾しない「いいえ」ボタン１１０２を含んでいる。
【０１３７】
図６（Ｂ）は、図６（Ａ）において、「はい」ボタン１１０１に対する操作が受け付けられると（ステップＳ３でＹｅｓ）、ステップＳ４で表示される通知画面の一例を示す図である。この通知画面は、コインの所定量との引き換えでチケットを全回復したことを通知する表示を含んでいる。
【０１３８】
図７（Ａ）は、ステップＳ７、Ｓ１０１等において、パズル進行部１１５によって表示されるパズル画面の一例である。このパズル画面は、複数のパズル要素５０１と、射出台５０２とを含む盤面によって構成される。複数のパズル要素５０１は、盤面内に配置される。各パズル要素５０１には、複数種類のキャラクタの何れかが表示されている。射出台５０２上には、キャラクタ要素５０３の何れかがセットされ得る。パズル進行部１１５は、射出台５０２上のキャラクタ要素５０３が操作されると、当該キャラクタ要素５０３を射出して複数のパズル要素５０１の少なくとも一部に衝突させ、衝突に応じて、複数のパズル要素５０１の配置を変更する。このとき、複数のパズル要素５０１のうち、射出されたキャラクタ要素５０３と同種のキャラクタが表示されたパズル要素５０１が、所定数以上連続して配置されれば、パズル進行部１１５は、それらのパズル要素５０１を盤面から除去する。また、パズル進行部１１５は、除去されたパズル要素５０１に応じてプレイ結果を算出する。プレイ結果は、例えば、連続して除去された同種のパズル要素５０１の個数（連鎖数）によって表される。
【０１３９】
ここで、射出台５０２上にセット可能なキャラクタ要素５０３は、ユーザが保有しているキャラクタの何れかである。例えば、パズル進行部１１５は、保有しているキャラクタの一覧５０４から、射出台５０２にセットするキャラクタ要素５０３を選択可能な選択画面を表示してもよい。図７（Ｂ）は、選択画面の一例である。選択画面は、保有しているキャラクタの一覧５０４を含む。この例では、一覧５０４は、「ティア」、「ハート」、「ルナ」の３つのキャラクタを含んでいる。なお、一覧５０４の中で「ティア」を示す図形の輪郭が太線となっているのは、当該キャラクタが選択されていることを示している。また、選択画面は、選択されたキャラクタに関するパラメータ表示５０５を含んでいる。また、選択画面は、選択されたキャラクタのキャラクタ要素５０３を射出台５０２にセットすることを指示する「セット」ボタン５０６を含んでいる。
【０１４０】
この例では、パラメータ表示５０５には、「ティア」に関するパラメータとして、レベルが２３であることと、得点単価が４５４であることが表示されている。レベルは、当該キャラクタが最初にユーザに付与されたときには、初期値（例えば、１）が設定される。また、レベルは、例えば、当該キャラクタによるプレイ中の累計得点に応じてアップする。また、レベルは、例えば、当該キャラクタと同一のキャラクタがユーザに付与されたときにアップする。得点単価は、プレイにおいて盤面から除去されたときの得点の単価である。得点単価は、レベルアップに伴い増加する。保有カプセル群の何れかが開封されてキャラクタが得られた場合には、このような選択画面の一覧５０４に、新たなキャラクタが追加される。あるいは、開封されて得られたキャラクラが既存のキャラクタである場合は、当該キャラクタのレベルがアップする。
【０１４１】
図８は、保有カプセル群に対して、ゲーム内通貨と引き換えに抽選を指示する操作を受け付ける保有カプセル画面の一例である。図８（Ａ）の保有カプセル画面は、保有カプセル群における各種類の割合を表す種類表示６０１を含んでいる。なお、ここでは、希少度が設定されていない種類Ｘのカプセルは、付随アイテムであるコインが内包されるコイン袋の態様で表示されている。また、保有カプセル画面は、ゲーム内通貨と引き換えに保有カプセル群の１つを開封するための「ひとつ開封」ボタン６０２を含んでいる。また、保有カプセル画面は、ゲーム内通貨と引き換えに保有カプセル群を一括して開封するための「ぜんぶ開封」ボタン６０３を含んでいる。この例では、一括して開封する対象となるのは、保有カプセル群の全てであるものとする。なお、「ひとつ開封」ボタン６０２及び「ぜんぶ開封」ボタン６０３には、それぞれ、引き換えるゲーム内通貨の個数（この場合、仮想通貨を表す「通貨」の個数）が表示されている。このような図８（Ａ）の保有カプセル画面は、図３に示した１プレイ終了時の処理の終了時に表示されてもよい。この場合、パズルの１プレイが終了してカプセルの開封及び付与が実行された後、保有カプセル群の構成の変化が反映された保有カプセル画面が表示される。
【０１４２】
図８（Ｂ）は、図５のステップＳ２０１で表示される確認画面の一例である。確認画面は、ゲーム内通貨と引き換えるか否かをユーザに選択させる画面である。この確認画面は、図８（Ａ）の保有カプセル画面において「ひとつ開封」ボタン６０２に対する操作が受け付けられると表示される。確認画面は、ゲーム内通貨と引き換えることを承諾する「はい」ボタン６０４、及び、承諾しない「いいえ」ボタン６０５を含む。
【０１４３】
図９（Ａ）は、保有カプセル群に対する抽選の様子を表す抽選画面である。この抽選画面は、図８（Ｂ）の確認画面において「はい」ボタン６０４に対する操作が受け付けられると（ステップＳ２０１でＹｅｓ）表示されることになる（ステップＳ２０２）。この例では、抽選画面は、保有カプセル群を構成する１つ１つのカプセルの表示を含む。また、各カプセルには、その種類が認識可能に表示される。また、保有カプセル群のうち、抽選されたカプセルがどれであるかが認識可能に表示される。この例では、各カプセルに、種類を示す文字列が表示されているが、カプセルの種類は、必ずしも文字列で表されていなくてもよい。例えば、カプセルのデザインによって種類が認識可能に表示されていてもよい。また、例えば、抽選画面は、保有カプセル群が射撃場に配置されており、そのうち抽選された１つが射撃により割れた様子を表す画面であってもよい。この例では、希少度が設定されていない種類Ｘのカプセルが割れた様子が表されている。
【０１４４】
図９（Ｂ）は、抽選されたカプセルが開封されて付随アイテムが出現した様子を表す開封結果画面である。この開封結果画面は、図９（Ａ）に続いて表示される（ステップＳ２０６）。この例では、種類Ｘのカプセルには付随アイテムとしてコインが関連づけられているため、この開封結果画面は、コインが出現する様子を表している。出現したコインは、ステップＳ２０３〜Ｓ２０６が実行されることにより、サーバ２００のオブジェクト提供部２１１によって、種類Ｘに応じて決定されたものである。また、出現したコインは、ユーザに関連付けて蓄積される。
【０１４５】
ここで、ステップＳ２０７で、開封されたカプセルに、希少度が設定されているか否かが判断される。つまり、開封されたカプセルの種類がＳ、Ａ、Ｂ、Ｃの何れかであれば、ステップＳ２０７でＹｅｓと判断され、Ｘであれば、Ｎｏと判断される。図９（Ｂ）の画面例では、Ｎｏと判断されることになる。
【０１４６】
そこで、ステップＳ２０２〜Ｓ２０６が繰り返される。再び種類Ｘのカプセルが抽選された場合は、図９（Ａ）及び（Ｂ）が表示され、さらにステップＳ２０２〜Ｓ２０６が繰り返される。そして、希少度Ａが設定されたカプセルが抽選されたとする。
【０１４７】
図１０（Ａ）は、保有カプセル群のうち希少度Ａのカプセルが抽選された様子を表す抽選画面である。なお、この画面例では、図９において既に開封された種類Ｘのカプセルは削除されている。
【０１４８】
図１０（Ｂ）は、図１０（Ａ）に続いて表示される開封結果画面である。ここでは、希少度Ａのカプセルが開封されて、キャラクタ「サン」が出現する様子が表されている。開封されたカプセルに希少度Ａが設定されているため、ステップＳ２０７でＹｅｓと判断されて、今回の抽選処理が終了する。
【０１４９】
なお、図８（Ａ）において、「ぜんぶ開封」ボタン６０３に対する操作が受け付けられた場合には、図８（Ｂ）に準ずる確認画面が表示された後、保有カプセル群の全てが開封される。そして、各カプセルについてステップＳ２０３〜Ｓ２０６と同様の処理が実行されることにより、保有カプセル群の全てから出現するオブジェクト又は付随アイテムがユーザに付与されることになる。
【０１５０】
このように、ユーザは、図８（Ａ）に示した保有カプセル画面において、保有カプセル群における各種類の割合を確認することができる。その上で、ユーザは、その時点での構成で抽選を実行すれば所望の希少度のカプセルが開封される確率が高い、と考えれば、図９〜図１０に示したように、ゲーム内通貨と引き換えに抽選を実行することができる。
【０１５１】
このようにして、ユーザは、有償のゲーム内通貨との引き換えにオブジェクト（キャラクタ）を得るまでに、希少度が設定されていないカプセルから付随アイテム（コイン）を無償で得て蓄積することができる。つまり、コインは、ゲームを有利に進める上での価値を有するキャラクタの取得に付随して得られるものである。このように、有償のゲーム内通貨との引き換えにオブジェクトを取得したユーザは、付随して、無償のコインを得ることができる。そして、ユーザは、このようにして得られる付随アイテムが所定量以上になれば、その所定量と引き換えに新たなプレイ権を得ることができる。その結果、ゲームのプレイに対するユーザの動機付けが高まる。
【０１５２】
〔変形例〕
本実施形態において、ゲームのプレイ権がチケットとして表現され、チケットを消費することによりゲームをプレイすることができる例について説明した。ただし、ゲームのプレイ権は、必ずしもチケットとして表現されるものでなくてもよい。
【０１５３】
また、本実施形態において、１枚のチケットと、プレイの１回分とが対応している例について説明した。ただし、ゲームのプレイ権は、必ずしもゲームを１回プレイする単位で管理されていなくてもよい。例えば、ゲームの１回のプレイで消費されるプレイ権の数として、１以上の数が設定されていてもよい。また、ゲームのプレイの種類に応じて、消費するプレイ権の数が定められていてもよい。
【０１５４】
また、本実施形態において、プレイ権が、付随アイテムとの交換、または、時間の経過に基づいて、ユーザに付与される例について説明した。この他、プレイ権は、ゲームのプレイに伴う他の手段により付与されてもよい。
【０１５５】
例えば、プレイ権管理部１２０は、他のユーザから送信される情報に基づいて、プレイ権を新たにユーザに付与してもよい。この場合、プレイ権管理部１２０は、例えば、図３のステップＳ２でチケットが無いと判断された場合に、チケットの入手方法として、「付随アイテムとの交換」と、「他のユーザへのプレイ権の要求」との何れかをユーザに選択させる選択画面を表示してもよい。
【０１５６】
図１１は、そのような選択画面の一例を示す。この選択画面は、プレイ開始時にチケットが無い場合に、図６（Ａ）の代わりに表示される。この選択画面は、「コインの所定量で全回復」するボタン１１０３と、「友達におねだり」するボタン１１０４とを含む。「友達におねだり」とは、他のユーザへのプレイ権の要求を表す具体的な表現の一例である。この選択画面において、「友達におねだり」するボタン１１０４に対する操作が受け付けられると、プレイ権管理部１２０は、他のユーザのユーザ端末１００に対して、プレイ権を要求する要求情報を送信する。他のユーザのユーザ端末においてゲームシステム１を実行するゲームプログラムは、そのような要求情報の受信に応じた当該他のユーザの操作に基づいて、プレイ権を供与する供与情報を、送信元のユーザ端末１００に送信する。なお、このようなユーザ端末１００間の通信は、サーバ２００を介して行われてもよい。送信元のユーザ端末１００において、プレイ権管理部１２０は、他のユーザ端末１００から供与情報を受信した場合に、新たにユーザにプレイ権を付与してもよい。
【０１５７】
なお、この場合も、他のユーザから送信される情報に基づき付与されるプレイ権を含め、ユーザによって保有可能なプレイ権の総数は、上限値までとしてもよい。
【０１５８】
また、例えば、プレイ権管理部１２０は、ゲームにおいて設定された所定の課題が達成された場合に、プレイ権を新たにユーザに付与してもよい。このような課題は、期間限定で設定される場合もある。なお、課題を達成することにより付与されるプレイ権は、ユーザによって保有されるプレイ権の総数が上述の上限値を超えても、保有可能であるとしてもよい。
【０１５９】
また、本実施形態において、付随アイテムを取得する権利は、プレイの終了時に付与され得るものとして説明した。このとき、付随アイテムを取得する権利が付与され得るプレイ単位は、新規ユーザを対象とするプレイ単位を含んでいてよい。すなわち、ユーザは、本実施形態におけるゲームを初めてプレイする場合にも、当該プレイに伴って、付随アイテムを取得する権利を取得し得る。例えば、本実施形態において、ゲームの進行に応じて段階的にプレイ可能となるプレイ単位があるケースを想定する。このようなプレイ単位を、ステージと記載することにする。具体的には、第１ステージは、新規ユーザを対象としており、第２ステージ以降は、前段のステージを終了したユーザがプレイ可能となるケースである。この場合、付随アイテムを取得する権利は、第１ステージを含むどのステージであっても、プレイに伴って付与され得る。
【０１６０】
また、本実施形態において、付随アイテムは、付随アイテムを取得する権利が消費されることによりユーザに付与されるものとして説明した。これに限らず、付随アイテムは、ゲームのプレイに伴う各種の条件が満たされた場合に無償で付与され得る。例えば、付随アイテムは、ゲームのプレイ結果に応じて付与されてもよい。
【０１６１】
〔ソフトウェアによる実現例〕
制御部２１０の制御ブロック（特に、オブジェクト提供部２１１）、ならびに、制御部１１０の制御ブロック（特に、操作受付部１１１、表示制御部１１２、ＵＩ制御部１１３、アニメーション生成部１１４、パズル進行部１１５、報酬決定部１１６、取得準備部１１７、取得実行部１１８、オブジェクト管理部１１９及びプレイ権管理部１２０）は、集積回路（ＩＣチップ）等に形成された論理回路（ハードウェア）によって実現してもよいし、ＣＰＵ（Central Processing Unit）を用いてソフトウェアによって実現してもよい。
【０１６２】
後者の場合、制御部２１０又は制御部１１０、もしくはその両方を備えた情報処理装置は、各機能を実現するソフトウェアであるプログラムの命令を実行するＣＰＵ、上記プログラム及び各種データがコンピュータ（又はＣＰＵ）で読み取り可能に記録されたＲＯＭ（Read Only Memory）又は記憶装置（これらを「記録媒体」と称する）、上記プログラムを展開するＲＡＭ（Random Access Memory）などを備えている。そして、コンピュータ（又はＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【０１６３】
本発明は上述した本実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１６４】
〔付記事項〕
本発明の一側面に係る内容を列記すると以下のとおりである。
【０１６５】
（項目１）  ゲームプログラム（１３１）について説明した。本開示のある局面によると、ゲームプログラムは、プロセッサ（１０、２０）およびメモリ（１１、２１）を備えるコンピュータ（ユーザ端末１００、サーバ２００）により実行されるものである。ゲームプログラムは、プロセッサに、ユーザが保有するゲームのプレイ権を消費することにより、ゲームのプレイを実行するステップ（Ｓ７）と、ゲームのプレイに伴いユーザに付与されるアイテムと引き換えに、ユーザに対してプレイ権を付与するステップ（Ｓ４）と、を実行させる。
【０１６６】
前記の構成によれば、ゲームをプレイするためにプレイ権が必要であるため、ユーザは、緊張感を持ってゲームを楽しめる。さらに、消費したプレイ権を回復するために必要となるアイテムが、ゲームのプレイに伴い付与されるため、ゲームのプレイに対するユーザの動機付けが高まる。
【０１６７】
（項目２）  （項目１）において、前記プレイ権と引き換え可能な前記アイテムは、前記プレイにおいて利用可能なオブジェクトが前記ユーザに付与される際に当該オブジェクトに付随して付与される付随アイテムであってもよい。これにより、ユーザは、ゲームのプレイにおいて利用可能なオブジェクトの取得に伴い、付随して取得できる付随アイテムとの引き換えにプレイ権を回復することができる。その結果、そのようなオブジェクトを取得しようとするユーザの動機付けが高まる。
【０１６８】
（項目３）  （項目２）において、付随アイテムは、ユーザに関連付けられたゲーム内通貨と引き換えにオブジェクトがユーザに付与される際に、付随して付与されてもよい。これにより、ユーザは、オブジェクトを取得する目的でゲーム内通貨との引き換えを行うことにより、プレイ権との交換が可能な付随アイテムを付随して得ることができる。その結果、ゲーム内通貨との引き換えに対するユーザの納得感が増す。
【０１６９】
（項目４）  （項目３）において、第１の条件が満たされる度に、ユーザに対して１つ以上の権利を付与するステップと、権利を消費することにより、ユーザに対して、当該権利に応じたオブジェクトまたは付随アイテムを付与するステップと、をさらに実行させ、プレイ権を付与するステップでは、ゲーム内通貨と引き換えに、オブジェクトがユーザに付与されるまで、ユーザに付与された権利の何れかを順次消費してもよい。これにより、ユーザは、ゲーム内通貨との引き換えにオブジェクトを得るまでに、付随アイテムが付随して蓄積されていく過程を楽しむことができる。
【０１７０】
（項目５）  （項目１）から（項目４）の何れか１項において、プレイ権と引き換え可能なアイテムは、ゲームのプレイに伴い無償でユーザに付与されるものであってもよい。これにより、ユーザは、無償のアイテムでプレイ権を回復することができる。
【０１７１】
（項目６）  （項目１）から（項目５）の何れか１項において、プレイ権と引き換え可能なアイテムは、ユーザに関連付けて蓄積され、プレイ権を付与するステップは、蓄積されたアイテムが所定量以上になると、プレイ権との引き換えを可能としてもよい。これにより、所定量以上になるとプレイ権との引き換えが可能となるアイテムが、ゲームのプレイを継続することにより蓄積されていくので、ゲームのプレイを継続するユーザの動機付けが高まる。また、ユーザは、アイテムが所定量以上蓄積されていれば、任意のタイミングでプレイ権を回復できるので、ゲームのプレイをより容易に継続できる。
【０１７２】
（項目７）  （項目６）において、プレイ権を付与するステップでは、ユーザに関連付けて蓄積されたアイテムの所定量と引き換えに、ユーザが保有するプレイ権が上限値以下の値となるまで、ユーザに対してプレイ権を付与してもよい。プレイ権に上限値がある仕様のゲームでは、プレイするタイミングと、プレイ権を上限値まで回復するタイミングとを共に考慮しなければならない煩わしさがある。（項目７）の構成により、ユーザは、アイテムが所定量以上蓄積されていれば、任意のタイミングでプレイ権を回復でき、煩わしさが解消される。
【０１７３】
（項目８）  （項目１）から（項目７）の何れか１項において、プレイ権を付与するステップでは、ユーザに対して、時間の経過に伴いプレイ権を付与してもよい。時間の経過に伴いプレイ権が付与される仕様のゲームでは、プレイ権が回復するまで時間の経過を待たならければいけない。（項目８）の構成により、時間の経過を待たずにプレイ権を回復することができる。
【０１７４】
（項目９）  （項目１）から（項目８）の何れか１項において、プレイ権と引き換え可能なアイテムは、新規ユーザを対象とするプレイ単位を含む各プレイ単位に伴って付与されてもよい。これにより、プレイ権を回復するためのアイテムが、新規ユーザでも容易に得られるので、新規ユーザのゲームのプレイに対する動機付けが高まる。
【０１７５】
（項目１０）  ゲームプログラムを実行する方法を説明した。本開示のある局面によると、ゲームプログラム（１３１）は、プロセッサ（１０、２０）及びメモリ（１１、２１）を備えるコンピュータ（ユーザ端末１００、サーバ２００）により実行される。該方法は、プロセッサが、ユーザが保有するゲームのプレイ権を消費することにより、ゲームのプレイを実行するステップと、ゲームのプレイに伴いユーザに付与されるアイテムと引き換えに、ユーザに対してプレイ権を付与するステップと、を含む。（項目１０）に係る方法は、（項目１）に係るゲームプログラムと同様の作用効果を奏する。
【０１７６】
情報処理装置（ユーザ端末１００、サーバ２００）について説明した。本開示のある局面によると、情報処理装置は、ゲームプログラム（１３１）を記憶する記憶部（１３０、２３０）と、ゲームプログラムを実行することにより、情報処理装置の動作を制御する制御部（１１０、２１０）と、を備える。制御部は、ユーザが保有するゲームのプレイ権を消費することにより、ゲームのプレイを実行し（Ｓ７）、ゲームのプレイに伴いユーザに付与されるアイテムと引き換えに、ユーザに対してプレイ権を付与する（Ｓ４）。（項目１１）に係る情報処理装置は、（項目１）に係るゲームプログラムと同様の作用効果を奏する。
【符号の説明】
【０１７７】
１  ゲームシステム、２  ネットワーク、１０，２０  プロセッサ、１１，２１  メモリ、１２，２２  ストレージ、１３，２３  通信ＩＦ、１４，２４  入出力ＩＦ、１５  タッチスクリーン、１７  カメラ、１８  測距センサ、１００  ユーザ端末（情報処理装置、クライアントのコンピュータ）、１１０，２１０  制御部、１１１  操作受付部、１１２  表示制御部、１１３  ＵＩ制御部、１１４  アニメーション生成部、１１５  パズル進行部、１１６  報酬決定部、１１７  取得準備部、１１８  取得実行部、１１９  オブジェクト管理部、  １２０  プレイ権管理部  １３０，２３０  記憶部、１３１  ゲームプログラム、１３２  ゲーム情報、１３３  ユーザ情報、１５１  入力部、１５２  表示部、２００  サーバ（情報処理装置、サーバのコンピュータ）、２１１  オブジェクト提供部、１０１０  物体、１０２０  コントローラ、１０３０  記憶媒体
【図１】
2019042296.tif 000003
【図２】
2019042296.tif 000004
【図３】
2019042296.tif 000005
【図４】
2019042296.tif 000006
【図５】
2019042296.tif 000007
【図６】
2019042296.tif 000008
【図７】
2019042296.tif 000009
【図８】
2019042296.tif 000010
【図９】
2019042296.tif 000011
【図１０】
2019042296.tif 000012
【図１１】
2019042296.tif 000013
【手続補正書】
【提出日】平成30年7月5日(2018.7.5)
【手続補正１】
【補正対象書類名】特許請求の範囲
【補正対象項目名】全文
【補正方法】変更
【補正の内容】
【特許請求の範囲】
【請求項１】
ゲームプログラムであって、
前記ゲームプログラムは、プロセッサおよびメモリを備えるコンピュータにより実行されるものであり、
前記ゲームプログラムは、前記プロセッサに、
ユーザが保有するゲームのプレイ権を消費することにより、前記ゲームのプレイを実行するステップと、
前記ゲームのプレイに伴い前記ユーザに付与されるアイテムと引き換えに、前記ユーザに対して前記プレイ権を付与するステップと、を実行させる、ゲームプログラム（ただし、課金の支払いにより又は前記支払いにより得られるゲームアイテムの使用により、ゲーム行動の実行許容値を回復するものを除く）。
【請求項２】
前記プレイ権と引き換え可能な前記アイテムは、前記プレイにおいて利用可能なオブジェクトが前記ユーザに付与される際に当該オブジェクトに付随して付与される付随アイテムである、請求項１に記載のゲームプログラム。
【請求項３】
前記付随アイテムは、前記ユーザに関連付けられたゲーム内通貨と引き換えに前記オブジェクトが前記ユーザに付与される際に付随して付与されるものである、請求項２に記載のゲームプログラム。
【請求項４】
第１の条件が満たされる度に、前記ユーザに対して１つ以上の権利を付与するステップと、
前記権利を消費することにより、前記ユーザに対して、当該権利に応じた前記オブジェクトまたは前記付随アイテムを付与するステップと、をさらに実行させ、
前記プレイ権を付与するステップでは、前記ユーザに付与された前記権利に前記オブジェクトに応じた権利が含まれる場合、前記ゲーム内通貨と引き換えに、前記オブジェクトが前記ユーザに付与されるまで、前記ユーザに付与された前記権利の何れかを順次消費する、請求項３に記載のゲームプログラム。
【請求項５】
前記プレイ権と引き換え可能な前記アイテムは、前記ゲームのプレイに伴い無償で前記ユーザに付与されるものである、請求項１から４の何れか１項に記載のゲームプログラム。
【請求項６】
前記プレイ権と引き換え可能な前記アイテムは、前記ユーザに関連付けて蓄積され、
前記プレイ権を付与するステップでは、蓄積された前記アイテムが所定量以上になると、前記プレイ権との引き換えを可能とする、請求項１から５の何れか１項に記載のゲームプログラム。
【請求項７】
前記プレイ権を付与するステップでは、前記ユーザに関連付けて蓄積された前記アイテムの前記所定量と引き換えに、前記ユーザが保有するプレイ権が上限値以下の値となるまで、前記ユーザに対して前記プレイ権を付与する、請求項６に記載のゲームプログラム。
【請求項８】
前記プレイ権を付与するステップでは、前記ユーザに対して、時間の経過に伴い前記プレイ権を付与する、請求項１から７の何れか１項に記載のゲームプログラム。
【請求項９】
前記プレイ権と引き換え可能な前記アイテムは、新規ユーザを対象とするプレイ単位を含む各プレイ単位のプレイに伴って付与されるものである、請求項１から８の何れか１項に記載のゲームプログラム。
【請求項１０】
ゲームプログラムを実行する方法であって、
前記ゲームプログラムは、プロセッサ及びメモリを備えるコンピュータにより実行されるものであり、
前記方法は、前記プロセッサが、
ユーザが保有するゲームのプレイ権を消費することにより、前記ゲームのプレイを実行するステップと、
前記ゲームのプレイに伴い前記ユーザに付与されるアイテムと引き換えに、前記ユーザに対して前記プレイ権を付与するステップと、を実行することを含む方法（ただし、課金の支払いにより又は前記支払いにより得られるゲームアイテムの使用により、ゲーム行動の実行許容値を回復するものを除く）。
【請求項１１】
情報処理装置であって、
前記情報処理装置は、
ゲームプログラムを記憶する記憶部と、
前記ゲームプログラムを実行することにより、前記情報処理装置の動作を制御する制御部と、を備え、
前記制御部は、
ユーザが保有するゲームのプレイ権を消費することにより、前記ゲームのプレイを実行し、前記ゲームのプレイに伴い前記ユーザに付与されるアイテムと引き換えに、前記ユーザに対して前記プレイ権を付与する、情報処理装置（ただし、課金の支払いにより又は前記支払いにより得られるゲームアイテムの使用により、ゲーム行動の実行許容値を回復するものを除く）。
【請求項１２】
ゲームプログラムであって、
前記ゲームプログラムは、プロセッサおよびメモリを備えるコンピュータにより実行されるものであり、
前記ゲームプログラムは、前記プロセッサに、
ユーザが保有するゲームのプレイ権を消費することにより、前記ゲームのプレイを実行するステップと、
前記ゲームのプレイに伴い前記ユーザに付与されるアイテムと引き換えに、前記ユーザに対して前記プレイ権を付与するステップと、を実行させ、
前記プレイ権と引き換え可能な前記アイテムは、前記プレイにおいて利用可能なオブジェクトが前記ユーザに付与される際に当該オブジェクトに付随して付与される付随アイテムである、ゲームプログラム。
【請求項１３】
ゲームプログラムを実行する方法であって、
前記ゲームプログラムは、プロセッサ及びメモリを備えるコンピュータにより実行されるものであり、
前記方法は、前記プロセッサが、
ユーザが保有するゲームのプレイ権を消費することにより、前記ゲームのプレイを実行するステップと、
前記ゲームのプレイに伴い前記ユーザに付与されるアイテムと引き換えに、前記ユーザに対して前記プレイ権を付与するステップと、を実行することを含み、
前記プレイ権と引き換え可能な前記アイテムは、前記プレイにおいて利用可能なオブジェクトが前記ユーザに付与される際に当該オブジェクトに付随して付与される付随アイテムである、方法。
【請求項１４】
情報処理装置であって、
前記情報処理装置は、
ゲームプログラムを記憶する記憶部と、
前記ゲームプログラムを実行することにより、前記情報処理装置の動作を制御する制御部と、を備え、
前記制御部は、ユーザが保有するゲームのプレイ権を消費することにより、前記ゲームのプレイを実行し、前記ゲームのプレイに伴い前記ユーザに付与されるアイテムと引き換えに、前記ユーザに対して前記プレイ権を付与し、前記プレイ権と引き換え可能な前記アイテムは、前記プレイにおいて利用可能なオブジェクトが前記ユーザに付与される際に当該オブジェクトに付随して付与される付随アイテムである、情報処理装置。
【請求項１５】
ゲームプログラムであって、
前記ゲームプログラムは、プロセッサおよびメモリを備えるコンピュータにより実行されるものであり、
前記ゲームプログラムは、前記プロセッサに、
ユーザが保有するゲームのプレイ権を消費することにより、前記ゲームのプレイを実行するステップと、
前記ゲームのプレイに伴い前記ユーザに付与されるアイテムと引き換えに、前記ユーザに対して前記プレイ権を付与するステップと、を実行させ、
前記プレイ権と引き換え可能な前記アイテムは、前記プレイにおいて利用可能なオブジェクトが前記ユーザに付与される際に当該オブジェクトに付随して付与される付随アイテムであり、
前記付随アイテムは、前記ユーザに関連付けられたゲーム内通貨と引き換えに前記オブジェクトが前記ユーザに付与される際に付随して付与されるものであり、
前記ゲームプログラムは、前記プロセッサに、
第１の条件が満たされる度に、前記ユーザに対して１つ以上の権利を付与するステップと、
前記権利を消費することにより、前記ユーザに対して、当該権利に応じた前記オブジェクトまたは前記付随アイテムを付与するステップと、をさらに実行させ、
前記プレイ権を付与するステップでは、前記ユーザに付与された前記権利に前記オブジェクトに応じた権利が含まれる場合、前記ゲーム内通貨と引き換えに、前記オブジェクトが前記ユーザに付与されるまで、前記ユーザに付与された前記権利の何れかを順次消費する、ゲームプログラム。
【請求項１６】
ゲームプログラムを実行する方法であって、
前記ゲームプログラムは、プロセッサ及びメモリを備えるコンピュータにより実行されるものであり、
前記方法は、前記プロセッサが、
ユーザが保有するゲームのプレイ権を消費することにより、前記ゲームのプレイを実行するステップと、
前記ゲームのプレイに伴い前記ユーザに付与されるアイテムと引き換えに、前記ユーザに対して前記プレイ権を付与するステップと、を実行することを含み、
前記プレイ権と引き換え可能な前記アイテムは、前記プレイにおいて利用可能なオブジェクトが前記ユーザに付与される際に当該オブジェクトに付随して付与される付随アイテムであり、
前記付随アイテムは、前記ユーザに関連付けられたゲーム内通貨と引き換えに前記オブジェクトが前記ユーザに付与される際に付随して付与されるものであり、
前記方法は、前記プロセッサが、
第１の条件が満たされる度に、前記ユーザに対して１つ以上の権利を付与するステップと、
前記権利を消費することにより、前記ユーザに対して、当該権利に応じた前記オブジェクトまたは前記付随アイテムを付与するステップと、をさらに実行することを含み、
前記プレイ権を付与するステップでは、前記ユーザに付与された前記権利に前記オブジェクトに応じた権利が含まれる場合、前記ゲーム内通貨と引き換えに、前記オブジェクトが前記ユーザに付与されるまで、前記ユーザに付与された前記権利の何れかを順次消費する、方法。
【請求項１７】
情報処理装置であって、
前記情報処理装置は、
ゲームプログラムを記憶する記憶部と、
前記ゲームプログラムを実行することにより、前記情報処理装置の動作を制御する制御部と、を備え、
前記制御部は、ユーザが保有するゲームのプレイ権を消費することにより、前記ゲームのプレイを実行し、前記ゲームのプレイに伴い前記ユーザに付与されるアイテムと引き換えに、前記ユーザに対して前記プレイ権を付与し、
前記プレイ権と引き換え可能な前記アイテムは、前記プレイにおいて利用可能なオブジェクトが前記ユーザに付与される際に当該オブジェクトに付随して付与される付随アイテムであり、
前記付随アイテムは、前記ユーザに関連付けられたゲーム内通貨と引き換えに前記オブジェクトが前記ユーザに付与される際に付随して付与されるものであり、
前記制御部は、第１の条件が満たされる度に、前記ユーザに対して１つ以上の権利を付与し、前記権利を消費することにより、前記ユーザに対して、当該権利に応じた前記オブジェクトまたは前記付随アイテムを付与し、
前記プレイ権を付与する際に、前記ユーザに付与された前記権利に前記オブジェクトに応じた権利が含まれる場合、前記ゲーム内通貨と引き換えに、前記オブジェクトが前記ユーザに付与されるまで、前記ユーザに付与された前記権利の何れかを順次消費する、情報処理装置。
【手続補正書】
【提出日】平成30年12月19日(2018.12.19)
【手続補正１】
【補正対象書類名】特許請求の範囲
【補正対象項目名】全文
【補正方法】変更
【補正の内容】
【特許請求の範囲】
【請求項１】
ゲームプログラムであって、
前記ゲームプログラムは、プロセッサおよびメモリを備えるコンピュータにより実行されるものであり、
前記ゲームプログラムは、前記プロセッサに、
ユーザが保有するゲームのプレイ権を消費することにより、前記ゲームのプレイを実行するステップと、
前記ゲームのプレイに伴い前記ユーザに付与されるアイテムと引き換えに、前記ユーザに対して前記プレイ権を付与するステップと、を実行させ、
前記プレイ権と引き換え可能な前記アイテムは、前記プレイにおいて利用可能なオブジェクトが前記ユーザに付与される際に当該オブジェクトに付随して付与される付随アイテムであり、
前記付随アイテムは、前記ユーザに関連付けられたゲーム内通貨と引き換えに前記オブジェクトが前記ユーザに付与される際に付随して付与されるものであり、
前記ゲームプログラムは、前記プロセッサに、
第１の条件が満たされる度に、前記ユーザに対して１つ以上の権利を付与するステップと、
前記権利を消費することにより、前記ユーザに対して、当該権利に応じた前記オブジェクトまたは前記付随アイテムを付与するステップと、をさらに実行させ、
前記プレイ権を付与するステップでは、前記ユーザに付与された前記権利に前記オブジェクトに応じた権利が含まれる場合、前記ゲーム内通貨と引き換えに、前記オブジェクトが前記ユーザに付与されるまで、前記ユーザに付与された前記権利の何れかを順次消費する、ゲームプログラム。
【請求項２】
ゲームプログラムであって、
前記ゲームプログラムは、プロセッサおよびメモリを備えるコンピュータにより実行されるものであり、
前記ゲームプログラムは、前記プロセッサに、
ユーザが保有するゲームのプレイ権を消費することにより、前記ゲームのプレイを実行するステップと、
前記ゲームのプレイに伴い前記ユーザに付与されるアイテムと引き換えに、前記ユーザに対して前記プレイ権を付与するステップと、を実行させ、
前記プレイ権と引き換え可能な前記アイテムは、前記プレイにおいて利用可能なオブジェクトが前記ユーザに付与される際に当該オブジェクトに付随して付与される付随アイテムであり、
前記付随アイテムは、前記ユーザに関連付けられたゲーム内通貨と引き換えに前記オブジェクトが前記ユーザに付与される際に付随して付与されるものであり、
第１の条件が満たされる度に、前記ユーザに対して１つ以上の権利を付与するステップと、
前記権利を消費することにより、前記ユーザに対して、当該権利に応じた前記オブジェクトまたは前記付随アイテムを付与するステップと、をさらに実行させ、
前記プレイ権を付与するステップでは、前記ユーザに付与された前記権利に前記オブジェクトに応じた権利が含まれる場合、前記ゲーム内通貨と引き換えに、前記オブジェクトが前記ユーザに付与されるまで、前記ユーザに付与された前記権利の何れかを順次消費する、ゲームプログラム（ただし、課金の支払いにより又は前記支払いにより得られるゲームアイテムの使用により、ゲーム行動の実行許容値を回復するものを除く）。
【請求項３】
前記プレイ権と引き換え可能な前記アイテムは、前記ゲームのプレイに伴い無償で前記ユーザに付与されるものである、請求項２に記載のゲームプログラム。
【請求項４】
前記プレイ権と引き換え可能な前記アイテムは、前記ユーザに関連付けて蓄積され、
前記プレイ権を付与するステップでは、蓄積された前記アイテムが所定量以上になると、前記プレイ権との引き換えを可能とする、請求項２または３に記載のゲームプログラム。
【請求項５】
前記プレイ権を付与するステップでは、前記ユーザに関連付けて蓄積された前記アイテムの前記所定量と引き換えに、前記ユーザが保有するプレイ権が上限値以下の値となるまで、前記ユーザに対して前記プレイ権を付与する、請求項４に記載のゲームプログラム。
【請求項６】
前記プレイ権を付与するステップでは、前記ユーザに対して、時間の経過に伴い前記プレイ権を付与する、請求項２から５の何れか１項に記載のゲームプログラム。
【請求項７】
前記プレイ権と引き換え可能な前記アイテムは、新規ユーザを対象とするプレイ単位を含む各プレイ単位のプレイに伴って付与されるものである、請求項２から６の何れか１項に記載のゲームプログラム。
【請求項８】
ゲームプログラムを実行する方法であって、
前記ゲームプログラムは、プロセッサ及びメモリを備えるコンピュータにより実行されるものであり、
前記方法は、前記プロセッサが、
ユーザが保有するゲームのプレイ権を消費することにより、前記ゲームのプレイを実行するステップと、
前記ゲームのプレイに伴い前記ユーザに付与されるアイテムと引き換えに、前記ユーザに対して前記プレイ権を付与するステップと、を実行することを含み、
せ、
前記プレイ権と引き換え可能な前記アイテムは、前記プレイにおいて利用可能なオブジェクトが前記ユーザに付与される際に当該オブジェクトに付随して付与される付随アイテムであり、
前記付随アイテムは、前記ユーザに関連付けられたゲーム内通貨と引き換えに前記オブジェクトが前記ユーザに付与される際に付随して付与されるものであり、
第１の条件が満たされる度に、前記ユーザに対して１つ以上の権利を付与するステップと、
前記権利を消費することにより、前記ユーザに対して、当該権利に応じた前記オブジェクトまたは前記付随アイテムを付与するステップと、を実行することをさらに含み、
前記プレイ権を付与するステップでは、前記ユーザに付与された前記権利に前記オブジェクトに応じた権利が含まれる場合、前記ゲーム内通貨と引き換えに、前記オブジェクトが前記ユーザに付与されるまで、前記ユーザに付与された前記権利の何れかを順次消費する、方法（ただし、課金の支払いにより又は前記支払いにより得られるゲームアイテムの使用により、ゲーム行動の実行許容値を回復するものを除く）。
【請求項９】
情報処理装置であって、
前記情報処理装置は、
ゲームプログラムを記憶する記憶部と、
前記ゲームプログラムを実行することにより、前記情報処理装置の動作を制御する制御部と、を備え、
前記制御部は、
ユーザが保有するゲームのプレイ権を消費することにより、前記ゲームのプレイを実行し、前記ゲームのプレイに伴い前記ユーザに付与されるアイテムと引き換えに、前記ユーザに対して前記プレイ権を付与し、
前記プレイ権と引き換え可能な前記アイテムは、前記プレイにおいて利用可能なオブジェクトが前記ユーザに付与される際に当該オブジェクトに付随して付与される付随アイテムであり、
前記付随アイテムは、前記ユーザに関連付けられたゲーム内通貨と引き換えに前記オブジェクトが前記ユーザに付与される際に付随して付与されるものであり、
第１の条件が満たされる度に、前記ユーザに対して１つ以上の権利を付与し、前記権利を消費することにより、前記ユーザに対して、当該権利に応じた前記オブジェクトまたは前記付随アイテムを付与し、
前記プレイ権を付与する際に、前記ユーザに付与された前記権利に前記オブジェクトに応じた権利が含まれる場合、前記ゲーム内通貨と引き換えに、前記オブジェクトが前記ユーザに付与されるまで、前記ユーザに付与された前記権利の何れかを順次消費する、情報処理装置（ただし、課金の支払いにより又は前記支払いにより得られるゲームアイテムの使用により、ゲーム行動の実行許容値を回復するものを除く）。
【請求項１０】
ゲームプログラムを実行する方法であって、
前記ゲームプログラムは、プロセッサ及びメモリを備えるコンピュータにより実行されるものであり、
前記方法は、前記プロセッサが、
ユーザが保有するゲームのプレイ権を消費することにより、前記ゲームのプレイを実行するステップと、
前記ゲームのプレイに伴い前記ユーザに付与されるアイテムと引き換えに、前記ユーザに対して前記プレイ権を付与するステップと、を実行することを含み、
前記プレイ権と引き換え可能な前記アイテムは、前記プレイにおいて利用可能なオブジェクトが前記ユーザに付与される際に当該オブジェクトに付随して付与される付随アイテムであり、
前記付随アイテムは、前記ユーザに関連付けられたゲーム内通貨と引き換えに前記オブジェクトが前記ユーザに付与される際に付随して付与されるものであり、
前記方法は、前記プロセッサが、
第１の条件が満たされる度に、前記ユーザに対して１つ以上の権利を付与するステップと、
前記権利を消費することにより、前記ユーザに対して、当該権利に応じた前記オブジェクトまたは前記付随アイテムを付与するステップと、をさらに実行することを含み、
前記プレイ権を付与するステップでは、前記ユーザに付与された前記権利に前記オブジェクトに応じた権利が含まれる場合、前記ゲーム内通貨と引き換えに、前記オブジェクトが前記ユーザに付与されるまで、前記ユーザに付与された前記権利の何れかを順次消費する、方法。
【請求項１１】
情報処理装置であって、
前記情報処理装置は、
ゲームプログラムを記憶する記憶部と、
前記ゲームプログラムを実行することにより、前記情報処理装置の動作を制御する制御部と、を備え、
前記制御部は、ユーザが保有するゲームのプレイ権を消費することにより、前記ゲームのプレイを実行し、前記ゲームのプレイに伴い前記ユーザに付与されるアイテムと引き換えに、前記ユーザに対して前記プレイ権を付与し、
前記プレイ権と引き換え可能な前記アイテムは、前記プレイにおいて利用可能なオブジェクトが前記ユーザに付与される際に当該オブジェクトに付随して付与される付随アイテムであり、
前記付随アイテムは、前記ユーザに関連付けられたゲーム内通貨と引き換えに前記オブジェクトが前記ユーザに付与される際に付随して付与されるものであり、
前記制御部は、第１の条件が満たされる度に、前記ユーザに対して１つ以上の権利を付与し、前記権利を消費することにより、前記ユーザに対して、当該権利に応じた前記オブジェクトまたは前記付随アイテムを付与し、
前記プレイ権を付与する際に、前記ユーザに付与された前記権利に前記オブジェクトに応じた権利が含まれる場合、前記ゲーム内通貨と引き換えに、前記オブジェクトが前記ユーザに付与されるまで、前記ユーザに付与された前記権利の何れかを順次消費する、情報処理装置。